(57)【要約】【課題】干渉を抑えつつ、異なる要求をもつ異なるサービスに応えることを可能にすること。【解決手段】本発明の第１の装置は、第１のサブキャリア間隔をもつ第１の帯域と第２のサブキャリア間隔をもつ第２の帯域とを含む周波数帯域内のガードバンドを示すガードバンド情報を取得する情報取得部と、上記ガードバンド情報を端末装置へ送信する通信処理部と、を備える。【選択図】図６
2018021008.tif 000002
【特許請求の範囲】
【請求項１】
第１のサブキャリア間隔をもつ第１の帯域と第２のサブキャリア間隔をもつ第２の帯域とを含む周波数帯域内のガードバンドを示すガードバンド情報を取得する情報取得部と、
前記ガードバンド情報を端末装置へ送信する通信処理部と、
を備える装置。
【請求項２】
前記ガードバンドは、無線リソースの割当ての単位であるリソースブロックよりも狭い、請求項１に記載の装置。
【請求項３】
前記ガードバンドは、１つ以上のサブキャリアである、請求項１又は２に記載の装置。
【請求項４】
前記情報取得部は、前記端末装置に割り当てられる無線リソースを通知する制御情報を取得し、
前記制御情報は、前記ガードバンド情報を含み、
前記通信処理部は、前記制御情報を前記端末装置へ送信する、
請求項１〜３のいずれか１項に記載の装置。
【請求項５】
前記ガードバンドは、前記無線リソース内のガードバンドである、請求項４に記載の装置。
【請求項６】
前記ガードバンドは、前記無線リソースの周波数端のガードバンドである、請求項５に記載の装置。
【請求項７】
前記無線リソースが、前記無線リソースとは異なるサブキャリア間隔をもつ他の無線リソースと隣接する場合には、前記ガードバンドは、当該他の無線リソースに隣接する１つ以上のサブキャリアであり、前記無線リソースが、前記他の無線リソースと隣接しない場合には、前記ガードバンドは、存在しない、請求項６に記載の装置。
【請求項８】
前記ガードバンド情報は、前記ガードバンドの有無を示す、請求項５〜７のいずれか１項に記載の装置。
【請求項９】
前記ガードバンド情報は、前記無線リソースの第１の周波数端にガードバンドがあること、前記無線リソースの第２の周波数端にガードバンドがあること、前記無線リソースの両方の周波数端にガードバンドがあること、又は、前記無線リソースの両方の周波数端にガードバンドがないことを示す、請求項８に記載の装置。
【請求項１０】
前記無線リソースのサブキャリア間隔は、前記端末装置用のサブキャリア間隔に基づいて決定される間隔である、請求項４〜９のいずれか１項に記載の装置。
【請求項１１】
前記制御情報は、前記無線リソースのサブキャリア間隔を示すサブキャリア間隔情報を含む、請求項４〜９のいずれか１項に記載の装置。
【請求項１２】
前記情報取得部は、制御プロトコルのメッセージを取得し、
前記メッセージは、前記ガードバンド情報を含み、
前記通信処理部は、前記メッセージを前記端末装置へ送信する、
請求項１〜３のいずれか１項に記載の装置。
【請求項１３】
前記メッセージは、ＲＲＣ（Radio  Resource  Control）メッセージである、請求項１２に記載の装置。
【請求項１４】
前記メッセージは、前記端末装置のためのシグナリングメッセージである、請求項１２又は１３に記載の装置。
【請求項１５】
前記シグナリングメッセージは、前記周波数帯域についての前記端末装置の接続手続き内のメッセージである、請求項１４に記載の装置。
【請求項１６】
前記メッセージは、システム情報である、請求項１２又は１３に記載の装置。
【請求項１７】
前記システム情報は、マスター情報ブロックである、請求項１６に記載の装置。
【請求項１８】
前記第１の帯域と前記第２の帯域とは、前記周波数帯域内で互いに隣接し、
前記ガードバンドは、前記第１の帯域と前記第２の帯域との境界付近の１つ以上のサブキャリアを含む、
請求項１２〜１７のいずれか１項に記載の装置。
【請求項１９】
前記境界付近の前記１つ以上のサブキャリアは、前記第１の帯域内の、前記第２の帯域に隣接する１つ以上のサブキャリア、又は、前記第２の帯域内の、前記第１の帯域に隣接する１つ以上のサブキャリアを含む、
請求項１８に記載の装置。
【請求項２０】
前記ガードバンド情報は、前記境界を示す境界情報を含む、請求項１８又は１９のいずれか１項に記載の装置。
【請求項２１】
前記境界情報は、前記第１の帯域を示す第１帯域情報と、前記第２の帯域を示す第２帯域情報とを含む、請求項２０に記載の装置。
【請求項２２】
前記ガードバンド情報は、前記ガードバンドの幅を示す幅情報を含む、請求項１〜２１のいずれか１項に記載の装置。
【請求項２３】
前記通信処理部は、前記周波数帯域内の１つ以上のサブキャリアをガードバンドとして使用して、前記周波数帯域における無線通信を行う、請求項１〜２２のいずれか１項に記載の装置。
【請求項２４】
前記第１の帯域と前記第２の帯域とは、前記周波数帯域内で互いに隣接し、
前記１つ以上のサブキャリアは、前記第１の帯域と前記第２の帯域との境界付近の１つ以上のサブキャリアを含む、
請求項２３に記載の装置。
【請求項２５】
前記装置は、基地局、当該基地局を構成する複数の装置のうちの１つ以上の装置、又は当該複数の装置のうちの１つのためのモジュールであり、
前記周波数帯域は、他の基地局により使用される周波数帯域である、
請求項１〜２２のいずれか１項に記載の装置。
【請求項２６】
前記装置は、基地局、基地局を構成する複数の装置のうちの１つ以上の装置、又は当該複数の装置のうちの１つのためのモジュールである、請求項１〜２５のいずれか１項に記載の装置。
【請求項２７】
第１のサブキャリア間隔をもつ第１の帯域と第２のサブキャリア間隔をもつ第２の帯域とを含む周波数帯域内のガードバンドを示すガードバンド情報を基地局から受信する通信処理部、
を備え、
前記通信処理部は、前記ガードバンド情報に基づいて前記周波数帯域における無線通信を行う、
装置。
【請求項２８】
前記通信処理部は、前記ガードバンド情報に基づいて前記周波数帯域における受信を行い、
前記周波数帯域における前記受信は、前記ガードバンド情報に基づいて前記周波数帯域内のリソースエレメントからシンボルを抽出することを含む、
請求項２７に記載の装置。
【請求項２９】
前記通信処理部は、前記ガードバンド情報に基づいて前記周波数帯域における送信を行い、
前記周波数帯域における前記送信は、前記ガードバンド情報に基づいて前記周波数帯域内のリソースエレメントにシンボルをマッピングすることを含む、
請求項２７に記載の装置。
【請求項３０】
第１のサブキャリア間隔をもつ第１の帯域と第２のサブキャリア間隔をもつ第２の帯域とを含む周波数帯域内の１つ以上のサブキャリアをガードバンドとして使用して、前記周波数帯域における無線通信を行う通信処理部、を備える装置。
【請求項３１】
前記第１の帯域と前記第２の帯域とは、前記周波数帯域内で互いに隣接し、
前記１つ以上のサブキャリアは、前記第１の帯域と前記第２の帯域との境界付近の１つ以上のサブキャリアを含む、
請求項３０に記載の装置。
【請求項３２】
前記装置は、基地局、基地局を構成する複数の装置のうちの１つ以上の装置、若しくは当該複数の装置のうちの１つのためのモジュール、又は、端末装置、若しくは端末装置のためのモジュールである、請求項３０又は３１に記載の装置。
【請求項３３】
第１のサブキャリア間隔をもつ第１の帯域と第２のサブキャリア間隔をもつ第２の帯域とを含む周波数帯域内のガードバンドを示すガードバンド情報を取得することと、
前記ガードバンド情報を端末装置へ送信することと、
を含む方法。
【請求項３４】
第１のサブキャリア間隔をもつ第１の帯域と第２のサブキャリア間隔をもつ第２の帯域とを含む周波数帯域内のガードバンドを示すガードバンド情報を基地局から受信することと、
前記ガードバンド情報に基づいて前記周波数帯域における無線通信を行うことと、
を含む方法。
【請求項３５】
第１のサブキャリア間隔をもつ第１の帯域と第２のサブキャリア間隔をもつ第２の帯域とを含む周波数帯域内の１つ以上のサブキャリアをガードバンドとして使用して、前記周波数帯域における無線通信を行うこと、を含む方法。
【請求項３６】
基地局と、
端末装置と、
を含み、
前記基地局は、第１のサブキャリア間隔をもつ第１の帯域と第２のサブキャリア間隔をもつ第２の帯域とを含む周波数帯域内のガードバンドを示すガードバンド情報を、前記端末装置へ送信し、
前記端末装置は、前記ガードバンド情報に基づいて前記周波数帯域における無線通信を行う、
システム。
【請求項３７】
第１のサブキャリア間隔をもつ第１の帯域と第２のサブキャリア間隔をもつ第２の帯域とを含む周波数帯域内のガードバンドを示すガードバンド情報を取得することと、
前記ガードバンド情報を端末装置へ送信することと、
をプロセッサに実行させるためのプログラム。
【請求項３８】
第１のサブキャリア間隔をもつ第１の帯域と第２のサブキャリア間隔をもつ第２の帯域とを含む周波数帯域内のガードバンドを示すガードバンド情報を基地局から受信することと、
前記ガードバンド情報に基づいて前記周波数帯域における無線通信を行うことと、
をプロセッサに実行させるためのプログラム。
【請求項３９】
第１のサブキャリア間隔をもつ第１の帯域と第２のサブキャリア間隔をもつ第２の帯域とを含む周波数帯域内の１つ以上のサブキャリアをガードバンドとして使用して、前記周波数帯域における無線通信を行うこと、をプロセッサに実行させるためのプログラム。
【請求項４０】
第１のサブキャリア間隔をもつ第１の帯域と第２のサブキャリア間隔をもつ第２の帯域とを含む周波数帯域内のガードバンドを示すガードバンド情報を取得することと、
前記ガードバンド情報を端末装置へ送信することと、
をプロセッサに実行させるためのプログラムを記録したコンピュータに読み取り可能な非一時的記録媒体。
【請求項４１】
第１のサブキャリア間隔をもつ第１の帯域と第２のサブキャリア間隔をもつ第２の帯域とを含む周波数帯域内のガードバンドを示すガードバンド情報を基地局から受信することと、
前記ガードバンド情報に基づいて前記周波数帯域における無線通信を行うことと、
をプロセッサに実行させるためのプログラムを記録したコンピュータに読み取り可能な非一時的記録媒体。
【請求項４２】
第１のサブキャリア間隔をもつ第１の帯域と第２のサブキャリア間隔をもつ第２の帯域とを含む周波数帯域内の１つ以上のサブキャリアをガードバンドとして使用して、前記周波数帯域における無線通信を行うこと、をプロセッサに実行させるためのプログラムを記録したコンピュータに読み取り可能な非一時的記録媒体。
【発明の詳細な説明】
【技術分野】
【０００１】
本発明は、通信装置、方法、システム、プログラム及び記録媒体に関する。
【背景技術】
【０００２】
近年、スマートフォン及びタブレット等の高機能端末の爆発的な普及に伴い、モバイルネットワークに対して、ネットワーク容量の大幅な拡大が求められている。その要求にこたえるため、ＬＴＥ（Long  Term  Evolution）及びＬＴＥ−Ａｄｖａｎｃｅｄと呼ばれる規格では、周波数利用効率をより高めるための通信方式としてダウンリンク送信にはＯＦＤＭ（Orthogonal  Frequency-Division  Multiplexing）が採用された。この規格では、ＯＦＤＭのサブキャリア間隔が一意に１５ｋＨｚと定められており、またサブキャリア間隔の逆数で規定されるＯＦＤＭシンボル長は６６．７μs(＝１÷１５ｋＨｚ)となる。当該サブキャリア間隔は、ＯＦＤＭの主要なパラメータである。【０００３】
ＯＦＤＭでは、サブキャリア間の直交性が崩れることにより干渉が発生し得る。当該干渉を抑えるために、例えば帯域間にガードバンドが設けられる。【０００４】
例えば、特許文献１には、帯域間の境界にガードバンド領域を設け、当該ガードバンド領域をデータの送信に使用するか又はガードバンドとして使用するかを決定し、これを移動局に通知する技術が、開示されている。例えば、特許文献２には、Ｓ／Ｎ（Signal-to-Noise）比が高いサブチャネルには、幅が狭いガードバンドを設け（又はガードバンドを設けず）、Ｓ／Ｎ比が低いサブチャネルには、幅が広いガードバンドを設ける技術が、開示されている。
【先行技術文献】
【特許文献】
【０００５】
【特許文献１】国際公開第２００６／０９２８５２号
【特許文献２】特開２００７−３００１９２号公報
【発明の概要】
【発明が解決しようとする課題】
【０００６】
ＬＴＥ及びＬＴＥ−Ａｄｖａｎｃｅｄの次の世代の規格である５Ｇ（fifth  generation）の規格の議論が始まっている。そこでは、上記のモバイルブロードバンドに加え、多数のデバイス接続が求められるＩｏＴ（Internet  of  Things）や、低遅延が求められるミッションクリティカル系のサービスを、１つの無線アクセス方式で実現することが、新たに求められている。このような要求に応えるための手段の１つとして、ＯＦＤＭのパラメータを調整することが考えられる。例えば、サブキャリア間隔を何かしらの形で調整することも考えられるが、その際にはサブキャリア間の干渉を抑えることも重要である。【０００７】
本発明の目的は、干渉を抑えつつ、異なる要求をもつ異なるサービスに応えることを可能にすることにある。
【課題を解決するための手段】
【０００８】
本発明の第１の装置は、第１のサブキャリア間隔をもつ第１の帯域と第２のサブキャリア間隔をもつ第２の帯域とを含む周波数帯域内のガードバンドを示すガードバンド情報を取得する情報取得部と、上記ガードバンド情報を端末装置へ送信する通信処理部と、を備える。【０００９】
本発明の第２の装置は、第１のサブキャリア間隔をもつ第１の帯域と第２のサブキャリア間隔をもつ第２の帯域とを含む周波数帯域内のガードバンドを示すガードバンド情報を基地局から受信する通信処理部、を備える。上記通信処理部は、上記ガードバンド情報に基づいて上記周波数帯域における無線通信を行う。【００１０】
本発明の第３の装置は、第１のサブキャリア間隔をもつ第１の帯域と第２のサブキャリア間隔をもつ第２の帯域とを含む周波数帯域内の１つ以上のサブキャリアをガードバンドとして使用して、上記周波数帯域における無線通信を行う通信処理部、を備える。【００１１】
本発明の第１の方法は、第１のサブキャリア間隔をもつ第１の帯域と第２のサブキャリア間隔をもつ第２の帯域とを含む周波数帯域内のガードバンドを示すガードバンド情報を取得することと、上記ガードバンド情報を端末装置へ送信することと、を含む。【００１２】
本発明の第２の方法は、第１のサブキャリア間隔をもつ第１の帯域と第２のサブキャリア間隔をもつ第２の帯域とを含む周波数帯域内のガードバンドを示すガードバンド情報を基地局から受信することと、上記ガードバンド情報に基づいて上記周波数帯域における無線通信を行うことと、を含む。【００１３】
本発明の第３の方法は、第１のサブキャリア間隔をもつ第１の帯域と第２のサブキャリア間隔をもつ第２の帯域とを含む周波数帯域内の１つ以上のサブキャリアをガードバンドとして使用して、上記周波数帯域における無線通信を行うこと、を含む。【００１４】
本発明のシステムは、基地局と、端末装置と、を含む。上記基地局は、第１のサブキャリア間隔をもつ第１の帯域と第２のサブキャリア間隔をもつ第２の帯域とを含む周波数帯域内のガードバンドを示すガードバンド情報を、上記端末装置へ送信する。上記端末装置は、上記ガードバンド情報に基づいて上記周波数帯域における無線通信を行う。【００１５】
本発明の第１のプログラムは、第１のサブキャリア間隔をもつ第１の帯域と第２のサブキャリア間隔をもつ第２の帯域とを含む周波数帯域内のガードバンドを示すガードバンド情報を取得することと、上記ガードバンド情報を端末装置へ送信することと、をプロセッサに実行させるためのプログラムである。【００１６】
本発明の第２のプログラムは、第１のサブキャリア間隔をもつ第１の帯域と第２のサブキャリア間隔をもつ第２の帯域とを含む周波数帯域内のガードバンドを示すガードバンド情報を基地局から受信することと、上記ガードバンド情報に基づいて上記周波数帯域における無線通信を行うことと、をプロセッサに実行させるためのプログラムである。【００１７】
本発明の第３のプログラムは、第１のサブキャリア間隔をもつ第１の帯域と第２のサブキャリア間隔をもつ第２の帯域とを含む周波数帯域内の１つ以上のサブキャリアをガードバンドとして使用して、上記周波数帯域における無線通信を行うこと、をプロセッサに実行させるためのプログラムである。【００１８】
本発明の第１の記録媒体は、第１のサブキャリア間隔をもつ第１の帯域と第２のサブキャリア間隔をもつ第２の帯域とを含む周波数帯域内のガードバンドを示すガードバンド情報を取得することと、上記ガードバンド情報を端末装置へ送信することと、をプロセッサに実行させるためのプログラムを記録したコンピュータに読み取り可能な非一時的記録媒体である。【００１９】
本発明の第２の記録媒体は、第１のサブキャリア間隔をもつ第１の帯域と第２のサブキャリア間隔をもつ第２の帯域とを含む周波数帯域内のガードバンドを示すガードバンド情報を基地局から受信することと、上記ガードバンド情報に基づいて上記周波数帯域における無線通信を行うことと、をプロセッサに実行させるためのプログラムを記録したコンピュータに読み取り可能な非一時的記録媒体である。【００２０】
本発明の第３の記録媒体は、第１のサブキャリア間隔をもつ第１の帯域と第２のサブキャリア間隔をもつ第２の帯域とを含む周波数帯域内の１つ以上のサブキャリアをガードバンドとして使用して、上記周波数帯域における無線通信を行うこと、をプロセッサに実行させるためのプログラムを記録したコンピュータに読み取り可能な非一時的記録媒体である。
【発明の効果】
【００２１】
本発明によれば、干渉を抑えつつ、異なる要求をもつ異なるサービスに応えることが可能になる。なお、本発明により、当該効果の代わりに、又は当該効果とともに、他の効果が奏されてもよい。
【図面の簡単な説明】
【００２２】
【図１】第１の実施形態のシステムの概略的な構成の一例を示す説明図である。
【図２】第１の実施形態の基地局の概略的な構成の例を示すブロック図である。
【図３】第１の実施形態の端末装置の概略的な構成の例を示すブロック図である。
【図４】第１の実施形態の周波数帯域の第１の例を説明するための説明図である。
【図５】第１の実施形態の周波数帯域の第２の例を説明するための説明図である。
【図６】ガードバンド情報により示されるガードバンドの第１の例を説明するための説明図である。
【図７】ガードバンド情報により示されるガードバンドの第２の例を説明するための説明図である。
【図８】第１の実施形態の処理の概略的な流れの第１の例を説明するためのシーケンス図である。
【図９】第１の実施形態の処理の概略的な流れの第２の例を説明するためのシーケンス図である。
【図１０】第１の実施形態の変形例のシステムの概略的な構成の一例を示す説明図である。
【図１１】第１の実施形態の変形例の基地局の概略的な構成の例を示すブロック図である。
【図１２】第１の実施形態の変形例の処理の概略的な流れの第１の例を説明するためのシーケンス図である。
【図１３】第１の実施形態の変形例の処理の概略的な流れの第２の例を説明するためのシーケンス図である。
【図１４】第２の実施形態のシステムの概略的な構成の一例を示す説明図である。
【図１５】第１の実施形態の基地局の概略的な構成の例を示すブロック図である。
【図１６】第２の実施形態の端末装置の概略的な構成の例を示すブロック図である。
【図１７】第２の実施形態の周波数帯域の例を説明するための説明図である。
【図１８】ガードバンド情報により示されるガードバンドの例を説明するための説明図である。
【図１９】第２の実施形態の処理の概略的な流れの第１の例を説明するためのシーケンス図である。
【図２０】第２の実施形態の処理の概略的な流れの第２の例を説明するためのシーケンス図である。
【図２１】第２の実施形態の変形例のシステムの概略的な構成の一例を示す説明図である。
【図２２】第２の実施形態の変形例の基地局の概略的な構成の例を示すブロック図である。
【図２３】第２の実施形態の変形例の処理の概略的な流れの第１の例を説明するためのシーケンス図である。
【図２４】第２の実施形態の変形例の処理の概略的な流れの第２の例を説明するためのシーケンス図である。
【図２５】第３の実施形態のシステムの概略的な構成の一例を示す説明図である。
【図２６】第３の実施形態の基地局の概略的な構成の例を示すブロック図である。
【図２７】、第３の実施形態の端末装置の概略的な構成の例を示すブロック図である。
【図２８】第３の実施形態の処理の概略的な流れの例を説明するためのシーケンス図である。
【発明を実施するための形態】
【００２３】
以下、添付の図面を参照して本発明の実施形態を詳細に説明する。なお、本明細書及び図面において、同様に説明されることが可能な要素については、同一の符号を付することにより重複説明が省略され得る。
【００２４】
説明は、以下の順序で行われる。
１．本発明の実施形態の概要
２．第１の実施形態
２．１．システムの構成
２．２．基地局の構成
２．３．端末装置の構成
２．４．技術的特徴
２．５．変形例
３．第２の実施形態
３．１．システムの構成
３．２．基地局の構成
３．３．端末装置の構成
３．４．技術的特徴
３．５．変形例
４．第３の実施形態
４．１．システムの構成
４．２．基地局の構成
４．３．端末装置の構成
４．４．技術的特徴
【００２５】
＜＜１．本発明の実施形態の概要＞＞
まず、本発明の実施形態の概要を説明する。
【００２６】
（１）技術的課題
ＬＴＥ及びＬＴＥ−Ａｄｖａｎｃｅｄの次の世代の規格である５Ｇ（fifth  generation）の規格の議論が始まっている。そこでは、上記のモバイルブロードバンドに加え、多数のデバイス接続が求められるＩｏＴ（Internet  of  Things）や、低遅延が求められるミッションクリティカル系のサービスを、１つの無線アクセス方式で実現することが、新たに求められている。このような要求に応えるための手段の１つとして、ＯＦＤＭのパラメータを調整することが考えられる。例えば、サブキャリア間隔を何かしらの形で調整することも考えられるが、その際にはサブキャリア間の干渉を抑えることも重要である。
【００２７】
そこで、干渉を抑えつつ、異なる要求をもつ異なるサービスに応えることを可能にすることが望ましい。
【００２８】
（２）技術的特徴
本発明の実施形態では、例えば、基地局は、サブキャリア間隔が混在する周波数帯域内のガードバンドを示すガードバンド情報を、端末装置へ送信する。そして、当該端末装置は、当該ガードバンド情報に基づいて上記周波数帯域における無線通信を行う。
【００２９】
これにより、例えば、干渉を抑えつつ、異なる要求をもつ異なるサービスに応えることが可能になる。
【００３０】
なお、上述した技術的特徴は本発明の実施形態の具体的な一例であり、当然ながら、本発明の実施形態は上述した技術的特徴に限定されない。
【００３１】
＜＜２．第１の実施形態＞＞
続いて、図１〜図１３を参照して、本発明の第１の実施形態を説明する。
【００３２】
＜２．１．システムの構成＞
図１を参照して、第１の実施形態のシステム１の構成の例を説明する。図１は、第１の実施形態のシステム１の概略的な構成の一例を示す説明図である。図１を参照すると、システム１は、基地局１００及び端末装置２００を含む。
【００３３】
例えば、システム１は、３ＧＰＰ（Third  Generation  Partnership  Project）の規格（standard）に準拠したシステムであってもよい。より具体的には、例えば、システム１は、ＬＴＥ、ＬＴＥ−Ａｄｖａｎｃｅｄ及び／又は５Ｇの規格に準拠したシステムであってもよい。
【００３４】
システム１は、ＦＤＤ（Frequency  Division  Duplex）のシステムであってもよく、又は、ＴＤＤ（Time  Division  Duplex）のシステムであってもよい。
【００３５】
（１）基地局１００
基地局１００は、セル１０（又はカバレッジエリア１０）内に位置する端末装置（例えば端末装置２００）との無線通信を行う。例えば、基地局１００は、ダウンリンクで端末装置への信号を送信し、アップリンクで端末装置からの信号を受信する。
【００３６】
例えば、基地局１００は、無線アクセス方式としてＯＦＤＭを使用する。あるいは、基地局１００は、他の無線アクセス方式（例えば、Ｆｉｌｔｅｒｅｄ  ＯＦＤＭ、ＵＦＭＣ(Universal  Filtered  Multi  Carrier)、ＧＦＤＭ(Generalized  Frequency  Division  Multiplex）等）を使用してもよい。上記無線アクセス方式は、ダウンリンクの方式であってもよく、又はアップリンクの方式であってもよい。ダウンリンクの方式及びアップリンクの方式は、異なる方式であってもよく、又は同一の方式であってもよい。
【００３７】
基地局１００は、端末装置との無線通信を行うノードであり、換言するとＲＡＮ（Radio  Access  Network）のノードである。例えば、基地局１００は、ＮｏｄｅＢ、Ｈ−ＮｏｄｅＢ（Home  Node  B）、ｅＮｏｄｅＢ（evolved  Node  B）若しくはＨ−ｅＮｏｄｅＢ（Home  evolved  Node  B）であってもよく、又は、５ＧにおけるｇＮｏｄｅＢ（generation  Node  B）であってもよい。基地局１００は、複数のユニット（又は複数のノード）を含んでもよい。当該複数のユニット（又は複数のノード）は、下位のプロトコルレイヤの処理を行う第１ユニット（又は第１ノード）と、上位のプロトコルレイヤの処理を行う第２ユニット（又は第２ノード）とを含んでもよい。一例として、上記第１のユニットは、分散ユニット（Distributed  Unit：ＤＵ）又はアクセスユニット（Access  Unit：ＡＵ）と呼ばれてもよく、上記第２のユニットは、中央ユニット（Center/Central  Unit：ＣＵ）と呼ばれてもよい。別の例として、上記第１のユニットは、無線ユニット（Radio  Unit：ＲＵ）又はリモートユニット（Remote  Unit：ＲＵ）と呼ばれてもよく、上記第２のユニットは、デジタルユニット（Digital  Unit：ＤＵ）と呼ばれてもよい。当該ＲＵは、ＲＲＨ（Remote  Radio  Head）又はＲＲＵ（Remote  Radio  Unit）であってもよく、当該ＤＵは、ＢＢＵ（Base  Band  Unit）であってもよい。当然ながら、上記第１のユニット（又は第１のノード）及び上記第２のユニット（又は第２のノード）の呼称は、この例に限定されない。あるいは、基地局１００は、単一のユニット（又は単一のノード）であってもよい。この場合に、基地局１００は、上記複数のユニットのうちの１つ（例えば、上記第１のユニット及び上記第２のユニットの一方）であってもよく、上記複数のユニットのうちの他のユニット（例えば、上記第１のユニット及び上記第２のユニットの他方）と接続されていてもよい。
【００３８】
（２）端末装置２００
端末装置２００は、基地局との無線通信を行う。例えば、端末装置２００は、セル１０内に位置する場合に、基地局１００との無線通信を行う。例えば、端末装置２００は、ダウンリンクで基地局からの信号を受信し、アップリンクで基地局への信号を送信する。
【００３９】
＜２．２．基地局の構成＞
次に、図２を参照して、第１の実施形態の基地局１００の構成の例を説明する。図２は、第１の実施形態の基地局１００の概略的な構成の例を示すブロック図である。図２を参照すると、基地局１００は、無線通信部１１０、ネットワーク通信部１２０、記憶部１３０及び処理部１４０を備える。
【００４０】
（１）無線通信部１１０
無線通信部１１０は、信号を無線で送受信する。例えば、無線通信部１１０は、端末装置からの信号を受信し、端末装置への信号を送信する。
【００４１】
（２）ネットワーク通信部１２０
ネットワーク通信部１２０は、バックホールから信号を受信し、バックホールへ信号を送信する。
【００４２】
（３）記憶部１３０
記憶部１３０は、基地局１００の動作のためのプログラム及びパラメータ、並びに様々なデータを、一時的に又は恒久的に記憶する。
【００４３】
（４）処理部１４０
処理部１４０は、基地局１００の様々な機能を提供する。処理部１４０は、情報取得部１４１及び通信処理部１４３を含む。なお、処理部１４０は、これらの構成要素以外の他の構成要素をさらに含み得る。即ち、処理部１４０は、これらの構成要素の動作以外の動作も行い得る。情報取得部１４１及び通信処理部１４３の具体的な動作は、後に詳細に説明する。
【００４４】
例えば、処理部１４０（通信処理部１４３）は、無線通信部１１０を介して端末装置（例えば、端末装置２００）と通信する。例えば、処理部１４０は、ネットワーク通信部１２０を介して他のネットワークノードと通信する。
【００４５】
（５）実装例
無線通信部１１０は、アンテナ及び高周波（Radio  Frequency：ＲＦ）回路等により実装されてもよい。ネットワーク通信部１２０は、ネットワークアダプタ又はネットワークインタフェースカード等により実装されてもよい。記憶部１３０は、メモリ（例えば、不揮発性メモリ及び／若しくは揮発性メモリ）並びに／又はハードディスク等により実装されてもよい。処理部１４０は、ベースバンド（Baseband：ＢＢ）プロセッサ及び／又は他のプロセッサ等により実装されてもよい。情報取得部１４１及び通信処理部１４３は、同一のプロセッサにより実装されてもよく、別々に異なるプロセッサにより実装されてもよい。上記メモリ（記憶部１３０）は、このようなプロセッサ（チップ）内に含まれてもよい。
【００４６】
基地局１００は、プログラムを記憶するメモリと、当該プログラムを実行可能な１つ以上のプロセッサとを含んでもよく、当該１つ以上のプロセッサは、処理部１４０（情報取得部１４１及び通信処理部１４３）の動作を行ってもよい。上記プログラムは、処理部１４０（情報取得部１４１及び通信処理部１４３）の動作を上記１つ以上のプロセッサに実行させるためのプログラムであってもよい。
【００４７】
＜２．３．端末装置の構成＞
次に、図３を参照して、第１の実施形態の端末装置２００の構成の例を説明する。図３は、第１の実施形態の端末装置２００の概略的な構成の例を示すブロック図である。図３を参照すると、端末装置２００は、無線通信部２１０、記憶部２２０及び処理部２３０を備える。
【００４８】
（１）無線通信部２１０
無線通信部２１０は、信号を無線で送受信する。例えば、無線通信部２１０は、基地局からの信号を受信し、基地局への信号を送信する。
【００４９】
（２）記憶部２２０
記憶部２２０は、端末装置２００の動作のためのプログラム及びパラメータ、並びに様々なデータを、一時的に又は恒久的に記憶する。
【００５０】
（３）処理部２３０
処理部２３０は、端末装置２００の様々な機能を提供する。処理部２３０は、通信処理部２３１を含む。なお、処理部２３０は、通信処理部２３１以外の他の構成要素をさらに含み得る。即ち、処理部２３０は、通信処理部２３１の動作以外の動作も行い得る。通信処理部２３１の具体的な動作は、後に詳細に説明する。
【００５１】
例えば、処理部２３０（通信処理部２３１）は、無線通信部２１０を介して基地局（例えば、基地局１００）と通信する。
【００５２】
（４）実装例
無線通信部２１０は、アンテナ及び高周波（ＲＦ）回路等により実装されてもよい。記憶部２２０は、メモリ（例えば、不揮発性メモリ及び／若しくは揮発性メモリ）並びに／又はハードディスク等により実装されてもよい。処理部２３０は、ベースバンド（ＢＢ）プロセッサ及び／又は他のプロセッサ等により実装されてもよい。上記メモリ（記憶部２２０）は、このようなプロセッサ（チップ）内に含まれてもよい。
【００５３】
端末装置２００は、プログラムを記憶するメモリと、当該プログラムを実行可能な１つ以上のプロセッサとを含んでもよく、当該１つ以上のプロセッサは、処理部２３０（通信処理部２３１）の動作を行ってもよい。上記プログラムは、処理部２３０（通信処理部２３１）の動作を上記１つ以上のプロセッサに実行させるためのプログラムであってもよい。
【００５４】
＜２．４．技術的特徴＞
次に、図４〜図９を参照して、第１の実施形態の技術的特徴を説明する。
【００５５】
基地局１００（情報取得部１４１）は、第１のサブキャリア間隔をもつ第１の帯域と第２のサブキャリア間隔をもつ第２の帯域とを含む周波数帯域内のガードバンドを示すガードバンド情報を取得する。そして、基地局１００（通信処理部１４３）は、上記ガードバンド情報を端末装置２００へ送信する。なお、例えば、基地局１００（情報取得部１４１）は、上記ガードバンド情報を生成することにより、上記ガードバンド情報を取得する。
【００５６】
端末装置２００（通信処理部２３１）は、上記ガードバンド情報を基地局１００から受信する。そして、端末装置２００（通信処理部２３１）は、上記ガードバンド情報に基づいて上記周波数帯域における無線通信を行う。
【００５７】
ここでの「サブキャリア」とは、信号を搬送可能な最小単位の周波数であり、一例として、ＯＦＤＭのサブキャリアである。「サブキャリア」は、単にキャリアと呼ばれてもよい。また、「サブキャリア間隔」とは、サブキャリアが配置される間隔である。また、「ガードバンド」とは、信号が送信されない周波数又は帯域であり、例えば１つ以上のサブキャリアを含む。
【００５８】
（１）周波数帯域
上述したように、上記周波数帯域は、上記第１のサブキャリア間隔をもつ上記第１の帯域と、上記第２のサブキャリア間隔をもつ上記第２の帯域とを含む。換言すると、上記周波数帯域は、異なるサブキャリア間隔が混在する周波数帯域である。例えば、上記第１の帯域と上記第２の帯域とは、上記周波数帯域内で互いに隣接する。当然ながら、上記周波数帯域は、１つ以上の他の帯域（例えば、第３の帯域）をさらに含んでもよい。当該１つ以上の他の帯域の各々は、上記第１のサブキャリア間隔又は上記第２のサブキャリア間隔をもつ帯域であってもよく、他のサブキャリア間隔をもつ帯域であってもよい。
【００５９】
第１の実施形態では、例えば、端末装置（又はサービス）ごとに、端末装置（又はサービス）用のサブキャリア間隔が決められており、端末装置に割り当てられる無線リソースのサブキャリア間隔は、当該端末装置用のサブキャリア間隔に基づいて決定される。即ち、当該端末装置用のサブキャリア間隔が、当該無線リソースのサブキャリア間隔となる。この場合には、上記第１の帯域とは、上記第１のサブキャリア間隔を使用する端末装置に割り当てられた無線リソースを含む帯域であり、上記第２の帯域とは、上記第２のサブキャリア間隔を使用する端末装置に割り当てられた無線リソースを含む帯域である。なお、ここでは端末装置はユーザとも呼ばれ得る。以下、図４及び図５を参照して、上記周波数帯域の例を説明する。
【００６０】
図４は、第１の実施形態の周波数帯域の第１の例を説明するための説明図である。図４を参照すると、周波数帯域２０が示されている。この例では、周波数帯域２０は、周波数方向において、５つのリソースブロック（Resource  Block：ＲＢ）（ＲＢ＃０〜＃４）を含む。ここでの「リソースブロック」又は「ＲＢ」とは、無線リソースの割当ての単位であり、換言すると、端末装置に割当て可能な最小の無線リソースである。この例では、ＲＢ＃０が、１５ｋＨｚのサブキャリア間隔を使用するユーザ＃０に割り当てられ、ＲＢ＃１及びＲＢ＃２が、同じく１５ｋＨｚのサブキャリア間隔を使用するユーザ＃１に割り当てられる。そのため、ＲＢ＃０〜＃２を含む帯域２１は、１５ｋＨｚのサブキャリア間隔をもつ帯域となる。また、ＲＢ＃３及びＲＢ＃４が、３０ｋＨｚのサブキャリア間隔を使用するユーザ＃２に割り当てられる。そのため、ＲＢ＃３及びＲＢ＃４を含む帯域２３は、３０ｋＨｚのサブキャリア間隔をもつ帯域となる。例えば、端末装置２００は、ユーザ＃０、ユーザ＃１又はユーザ＃２である。
【００６１】
図５は、第１の実施形態の周波数帯域の第２の例を説明するための説明図である。図５を参照すると、周波数帯域２０が示されている。この例でも、図４の例と同様に、ＲＢ＃０〜＃２が、１５ｋＨｚのサブキャリア間隔を使用するユーザ＃０及びユーザ＃１に割り当てられ、ＲＢ＃０〜＃２を含む帯域２１は、１５ｋＨｚのサブキャリア間隔をもつ帯域となる。また、ＲＢ＃３が、３０ｋＨｚのサブキャリア間隔を使用するユーザ＃２に割り当てられ、ＲＢ＃３を含む帯域２５は、３０ｋＨｚのサブキャリア間隔をもつ帯域となる。また、ＲＢ＃４が、１５ｋＨｚのサブキャリア間隔を使用するユーザ＃３に割り当てられ、ＲＢ＃４を含む帯域２７は、１５ｋＨｚのサブキャリア間隔をもつ帯域となる。例えば、端末装置２００は、ユーザ＃０、ユーザ＃１、ユーザ＃２又はユーザ＃３である。
【００６２】
例えばこのように、上記周波数帯域には、異なるサブキャリア間隔が混在する。上記周波数帯域内のどの帯域がどのサブキャリア間隔をもつかは、無線リソースの割当てによってダイナミックに決まり得る。
【００６３】
このように、周波数帯域内で異なるサブキャリア間隔を使用することにより、例えば、異なる要求をもつ異なるサービスに応えることが可能になる。より具体的には、例えば、周波数方向において大きいサブキャリア間隔を使用することにより、時間方向においてシンボル長が短くなり、低遅延で信号が送信され得る。そのため、例えば、低遅延を要求するサービスに応えることが可能になる。また、例えば、周波数方向において小さいサブキャリア間隔を使用することにより、同時に接続可能な端末装置の数が大きくなり得る。そのため、例えば、多数の端末装置との接続を要求するサービスに応えることが可能になる。
【００６４】
なお、上記周波数帯域は、ＦＤＤの周波数帯域であってもよい、この場合に、上記周波数帯域は、ダウンリンク帯域であってもよく、又はアップリンク帯域であってもよい。あるいは、上記周波数帯域は、ＴＤＤの周波数帯域であってもよい。
【００６５】
（２）ガードバンド情報
とりわけ第１の実施形態では、基地局１００（情報取得部１４１）は、端末装置２００に割り当てられる無線リソースを通知する制御情報を取得し、当該制御情報は、上記ガードバンド情報を含む。そして、基地局１００（通信処理部１４３）は、上記制御情報を端末装置２００へ送信する。なお、例えば、基地局１００（情報取得部１４１）は、上記制御情報を生成することにより、上記制御情報を取得する。
【００６６】
−制御情報
例えば、上記制御情報は、伝送時間間隔（Transmission  Time  Interval：ＴＴＩ）ごとに送信される情報である。例えば、当該ＴＴＩは、（ＬＴＥと同様に）サブフレームと呼ばれる。
【００６７】
例えば、上記制御情報は、ＬＴＥのＤＣＩ（Downlink  Control  Information）、又はそれに相当する５Ｇの情報（ＤＣＩと呼ばれてもよい）である。例えば、上記制御情報は、端末装置２００に割り当てられる上記無線リソースを示す割当て情報を含む。さらに、例えば、上記制御情報は、制御のための様々な情報（例えば、変調符号化方式（Modulation  and  Coding  Scheme：ＭＣＳ）情報、及び／又は送信電力制御（Transmission  Power  Control）情報等）を含む。
【００６８】
例えば、基地局１００（通信処理部１４３）は、所定のサブキャリア間隔をもつ帯域において、上記制御情報を端末装置２００へ送信する。一例として、基地局１００（通信処理部１４３）は、上記周波数帯域のうちの、（一時的に又は恒久的に）所定のサブキャリア間隔をもつ帯域において、上記制御情報を端末装置２００へ送信してもよい。あるいは、基地局１００（通信処理部１４３）は、所定のサブキャリア間隔をもつ他の周波数帯域（上記周波数帯域とは異なるもの）において、上記制御情報を端末装置２００へ送信してもよい。これにより、端末装置２００が上記制御情報を受信し得る。あるいは、基地局１００（通信処理部１４３）は、サブキャリア間隔が一定ではない帯域において、上記制御情報を端末装置２００へ送信し、端末装置２００（通信処理部２３１）が、複数のサブキャリア間隔を用いて受信を試みてもよい（即ち、ブラインドでの受信を行ってもよい）。これによっても、端末装置２００は上記制御情報を受信し得る。
【００６９】
−ガードバンド
例えば、上記ガードバンド情報により示される上記ガードバンドは、無線リソースの割当ての単位であるリソースブロック（ＲＢ）よりも狭い。これにより、（例えばＲＢ単位でガードバンドを設けるのと比べて）ガードバンドによる周波数利用効率の低下を抑えることが可能になる。
【００７０】
例えば、上記ガードバンド情報により示される上記ガードバンドは、端末装置２００に割り当てられる上記無線リソース内のガードバンドである。具体的には、例えば、上記ガードバンドは、上記無線リソースの周波数端のガードバンドである。例えば、上記無線リソースが、上記無線リソースとは異なるサブキャリア間隔をもつ他の無線リソースと隣接する場合には、上記ガードバンドは、当該他の無線リソースに隣接する１つ以上のサブキャリアである。一方、上記無線リソースが、上記他の無線リソースと隣接しない場合には、上記ガードバンドは、存在しない。これにより、例えば、他の無線リソース上の信号への干渉を抑えることが可能になる。以下、図６及び図７を参照して、上記ガードバンド情報により示される上記ガードバンドの例を説明する。
【００７１】
−−第１の例
図６は、ガードバンド情報により示されるガードバンドの第１の例を説明するための説明図である。図６を参照すると、図４と同様に、周波数帯域２０、帯域２１及び帯域２３が示されている。
【００７２】
一例として、端末装置２００はユーザ＃１である。即ち、端末装置２００（ユーザ＃１）に割り当てられる無線リソースは、ＲＢ＃１及びＲＢ＃２であり、当該無線リソースのサブキャリア間隔（ユーザ＃１用のサブキャリア間隔）は、１５ｋＨｚである。この場合に、当該無線リソース（ＲＢ＃１及びＲＢ＃２）は、異なるサブキャリア間隔（３０ｋＨｚ）をもつＲＢ＃３と隣接する。よって、ガードバンド情報により示されるガードバンドは、ＲＢ＃３と隣接するサブキャリア３１である。
【００７３】
別の例として、端末装置２００はユーザ＃２であってもよい。即ち、端末装置２００（ユーザ＃２）に割り当てられる無線リソースは、ＲＢ＃３及びＲＢ＃４であり、当該無線リソースのサブキャリア間隔（ユーザ＃２用のサブキャリア間隔）は、３０ｋＨｚである。この場合に、当該無線リソース（ＲＢ＃３及びＲＢ＃４）は、異なるサブキャリア間隔（１５ｋＨｚ）をもつＲＢ＃２と隣接する。よって、ガードバンド情報により示されるガードバンドは、ＲＢ＃２と隣接するサブキャリア３３である。
【００７４】
さらに別の例として、端末装置２００はユーザ＃０であってもよい。即ち、端末装置２００（ユーザ＃０）に割り当てられる無線リソースは、ＲＢ＃０であり、当該無線リソースのサブキャリア間隔（ユーザ＃０用のサブキャリア間隔）は、１５ｋＨｚである。この場合に、当該無線リソース（ＲＢ＃０）は、異なるサブキャリア間隔をもつＲＢと隣接しない。よって、ガードバンド情報により示されるガードバンドは、存在しない。
【００７５】
−−第２の例
図７は、ガードバンド情報により示されるガードバンドの第２の例を説明するための説明図である。図７を参照すると、図５と同様に、周波数帯域２０、帯域２５及び帯域２７が示されている。
【００７６】
一例として、端末装置２００はユーザ＃２である。即ち、端末装置２００（ユーザ＃２）に割り当てられる無線リソースは、ＲＢ＃３であり、当該無線リソースのサブキャリア間隔（ユーザ＃２用のサブキャリア間隔）は、３０ｋＨｚである。この場合に、当該無線リソース（ＲＢ＃３）は、異なるサブキャリア間隔（１５ｋＨｚ）をもつＲＢ＃２及びＲＢ＃４と隣接する。よって、ガードバンド情報により示される第１のガードバンドは、ＲＢ＃２と隣接するサブキャリア３３であり、当該ガードバンド情報により示される第２のガードバンドは、ＲＢ＃４と隣接するサブキャリア３５である。
【００７７】
別の例として、端末装置２００はユーザ＃３であってもよい。即ち、端末装置２００（ユーザ＃３）に割り当てられる無線リソースは、ＲＢ＃４であり、当該無線リソースのサブキャリア間隔（ユーザ＃３用のサブキャリア間隔）は、１５ｋＨｚである。この場合に、当該無線リソース（ＲＢ＃４）は、異なるサブキャリア間隔（３０ｋＨｚ）をもつＲＢ＃３と隣接する。よって、ガードバンド情報により示されるガードバンドは、ＲＢ＃３と隣接するサブキャリア３７である。
【００７８】
さらに別の例として、端末装置２００はユーザ＃１であってもよい。この場合には、図６を参照して説明した例と同様に、ガードバンド情報により示されるガードバンドは、ＲＢ＃３と隣接するサブキャリア３１である。
【００７９】
さらに別の例として、端末装置２００はユーザ＃０であってもよい。この場合には、図６を参照して説明した例と同様に、ガードバンド情報により示されるガードバンドは、存在しない。
【００８０】
なお、図６及び図７を参照して、ガードバンドが周波数端あたり１つのサブキャリアである例を説明したが、当然ながら、第１の実施形態はこの例に限定されない。ガードバンドは周波数端あたり２つ以上のサブキャリアであってもよい。
【００８１】
このようなガードバンドにより、例えば、周波数帯域内に異なるサブキャリア間隔が混在しても、サブキャリア間の干渉（特に、異なるサブキャリア間隔をもつサブキャリア間での干渉）を抑えることが可能になる。
【００８２】
−ガードバンド情報
例えば、上記ガードバンド情報は、端末装置２００に割り当てられる上記無線リソース内のガードバンドの有無を示す。より具体的には、例えば、上記ガードバンド情報は、上記無線リソースの第１の周波数端にガードバンドがあること、上記無線リソースの第２の周波数端にガードバンドがあること、上記無線リソースの両方の周波数端にガードバンドがあること、又は、上記無線リソースの両方の周波数端にガードバンドがないことを示す。例えば、上記第１の周波数端は、高周波数側の周波数端であり、上記第２の周波数端は、低周波数側の周波数端である。
【００８３】
一例として、上記ガードバンド情報は、上記制御情報（例えばＤＣＩ）に含まれるガードバンド識別子（guard  band  identifier）フィールド（２ビット長）であり、以下のような２ビット値をとり得る。
【００８４】
００：ガードバンドなし
０１：第１の周波数端のみにガードバンドあり
１０：第２の周波数端のみにガードバンドあり
１１：両方の周波数端にガードバンドあり
【００８５】
即ち、２ビットのうちの各ビットが、周波数端にガードバンドがあるか否かを示す（ビットが０であればガードバンドなし、ビットが１であればガードバンドあり）。
【００８６】
図６の例では、ユーザ＃０には、ガードバンド情報として「００」が送信され、ユーザ＃１には、ガードバンド情報として「０１」が送信され、ユーザ＃２には、ガードバンド情報として「１０」が送信される。
【００８７】
図７の例では、ユーザ＃０には、ガードバンド情報として「００」が送信され、ユーザ＃１には、ガードバンド情報として「０１」が送信され、ユーザ＃２には、ガードバンド情報として「１１」が送信され、ユーザ＃３には、ガードバンド情報として「１０」が送信される。
【００８８】
なお、上記ガードバンドの幅は、固定数のサブキャリアに限られない。当該ガードバンドの幅は、可変であってもよい。例えばこのような場合に、上記ガードバンド情報は、上記ガードバンドの幅を示してもよく、さらに長いビット長を有してもよい。一例として、上記ガードバンド情報は、さらなる１ビットにより、ガードバンドの幅を示してもよい。当該１ビットが０であれば、ガードバンドの幅は、１サブキャリアであり、当該１ビットが１であれば、ガードバンドの幅は、２サブキャリアであってもよい。これにより、例えば、必要に応じてガードバンドの幅をダイナミックに設定することが可能になる。
【００８９】
以上のように、第１の実施形態では、上記制御情報が上記ガードバンド情報を含み、基地局１００は、上記制御情報を端末装置２００へ送信する。これにより、例えば、ユーザごと、且つ、ＴＴＩ（サブフレーム）ごとに、ガードバンドを細かく設定することが可能になる。そのため、上記周波数帯域内に異なるサブキャリア間隔が混在し、且つダイナミックに変化したとしても、サブキャリア間での干渉（例えば異なるサブキャリア間隔を用いるユーザ間での干渉）が抑えられ得る。
【００９０】
−その他
上述したように、例えば、端末装置（又はサービス）ごとに、端末装置（又はサービス）用のサブキャリア間隔が決められており、端末装置２００に割り当てられる上記無線リソースのサブキャリア間隔は、端末装置２００用のサブキャリア間隔に基づいて決定される。即ち、端末装置２００用のサブキャリア間隔が、端末装置２００に割り当てられる無線リソースのサブキャリア間隔となる。しかし、第１の実施形態はこの例に限られない。
【００９１】
例えば、端末装置２００用のサブキャリア間隔は用意されず、端末装置２００が使用するサブキャリア間隔は、ダイナミックに変わってもよい。この場合に、上記制御情報は、端末装置２００に割り当てられる上記無線リソースのサブキャリア間隔を示すサブキャリア間隔情報を含んでもよい。
【００９２】
（３）無線通信
−基地局
例えば、上記周波数帯域は、基地局１００により使用される周波数帯域である。この場合に、基地局１００（通信処理部１４３）は、上記周波数帯域内の１つ以上のサブキャリアをガードバンドとして使用して、上記周波数帯域における無線通信を行う。当該無線通信は、ダウンリンク送信であってもよく、又は、アップリンク受信であってもよい。
【００９３】
例えば、上記第１の帯域と上記第２の帯域とは、上記周波数帯域内で互いに隣接し、上記１つ以上のサブキャリア（ガードバンド）は、上記第１の帯域と上記第２の帯域との境界付近の１つ以上のサブキャリアを含む。より具体的には、例えば、当該境界付近の当該１つ以上のサブキャリアは、上記第１の帯域内の、上記第２の帯域に隣接する１つ以上のサブキャリア、又は、上記第２の帯域内の、上記第１の帯域に隣接する１つ以上のサブキャリアを含む。
【００９４】
図６の例では、基地局１００は、帯域２１と帯域２３との境界付近のサブキャリア３１、３３をガードバンドとして使用して、周波数帯域２０における無線通信を行う。
【００９５】
図７の例では、基地局１００は、帯域２１と帯域２５との境界付近のサブキャリア３１、３３をガードバンドとして使用し、且つ、帯域２５と帯域２７との境界付近のサブキャリア３５、３７もガードバンドとして使用して、周波数帯域２０における無線通信を行う。
【００９６】
これにより、例えば、サブキャリア間での干渉を抑えつつ、周波数帯域内に異なるサブキャリア間隔を混在させることが可能になる。
【００９７】
−端末装置
上述したように、端末装置２００（通信処理部２３１）は、上記ガードバンド情報を基地局１００から受信し、当該ガードバンド情報に基づいて上記周波数帯域における無線通信を行う。
【００９８】
例えば、端末装置２００（通信処理部２３１）は、制御情報（例えばＤＣＩ）を受信し、当該制御情報に含まれる割当て情報及びガードバンド情報を取得する。そして、端末装置２００（通信処理部２３１）は、上記割当て情報から、端末装置２００に割り当てられる無線リソースを識別し、上記ガードバンド情報から、当該無線リソース内のガードバンドを識別する。上記無線リソース内に１つ以上のサブキャリアがガードバンドとして存在する場合には、端末装置２００（通信処理部２３１）は、上記１つ以上のサブキャリアをガードバンドとして使用して、上記周波数帯域における無線通信を行う。当該無線通信は、ダウンリンク受信であってもよく、又は、アップリンク送信であってもよい。
【００９９】
例えば、上記第１の帯域と上記第２の帯域とは、上記周波数帯域内で互いに隣接し、上記１つ以上のサブキャリア（ガードバンド）は、上記第１の帯域と上記第２の帯域との境界付近の１つ以上のサブキャリアを含む。より具体的には、例えば、当該境界付近の当該１つ以上のサブキャリアは、上記第１の帯域内の、上記第２の帯域に隣接する１つ以上のサブキャリア、又は、上記第２の帯域内の、上記第１の帯域に隣接する１つ以上のサブキャリアを含む。
【０１００】
図６の例では、一例として、端末装置２００はユーザ＃１であり、端末装置２００は、帯域２１と帯域２３との境界付近のサブキャリア３１をガードバンドとして使用して、周波数帯域２０（ＲＢ＃１及びＲＢ＃２）における無線通信を行う。
【０１０１】
図７の例では、一例として、端末装置２００はユーザ＃２であり、端末装置２００は、帯域２１と帯域２５との境界付近のサブキャリア３３をガードバンドとして使用し、且つ、帯域２５と帯域２７との境界付近のサブキャリア３５をガードバンドとして使用して、周波数帯域２０（ＲＢ＃３）における無線通信を行う。
【０１０２】
−−ダウンリンク受信
例えば、端末装置２００（通信処理部２３１）は、上記ガードバンド情報に基づいて上記周波数帯域における受信を行う。より具体的には、例えば、上記周波数帯域における上記受信は、上記ガードバンド情報に基づいて上記周波数帯域内のリソースエレメントからシンボルを抽出（extract）することを含む。このようなシンボルの抽出は、シンボルのデマッピングとも呼ばれ得る。
【０１０３】
図６の例では、一例として、端末装置２００はユーザ＃１であり、端末装置２００は、ＲＢ＃１及びＲＢ＃２に含まれるリソースエレメントからシンボルを抽出する。この場合に、端末装置２００は、サブキャリア３１のリソースエレメントからシンボルを抽出せず、他のサブキャリアのリソースエレメントからシンボルを抽出する。
【０１０４】
図７の例では、一例として、端末装置２００はユーザ＃２であり、端末装置２００は、ＲＢ＃３に含まれるリソースエレメントからシンボルを抽出する。この場合に、端末装置２００は、サブキャリア３３、３５のリソースエレメントからシンボルを抽出せず、他のサブキャリアのリソースエレメントからシンボルを抽出する。
【０１０５】
−−アップリンク送信
端末装置２００（通信処理部２３１）は、上記ガードバンド情報に基づいて上記周波数帯域における送信を行ってもよい。より具体的には、上記周波数帯域における上記送信は、上記ガードバンド情報に基づいて上記周波数帯域内のリソースエレメントにシンボルをマッピングすることを含んでもよい。
【０１０６】
図６の例では、一例として、端末装置２００はユーザ＃１であり、端末装置２００は、ＲＢ＃１及びＲＢ＃２に含まれるリソースエレメントにシンボルをマッピングする。この場合に、端末装置２００は、サブキャリア３１のリソースエレメントにはシンボルをマッピングせず、他のサブキャリアのリソースエレメントにシンボルをマッピングする。
【０１０７】
図７の例では、一例として、端末装置２００はユーザ＃２であり、端末装置２００は、ＲＢ＃３に含まれるリソースエレメントにシンボルをマッピングする。この場合に、端末装置２００は、サブキャリア３３、３５のリソースエレメントにはシンボルをマッピングせず、他のサブキャリアのリソースエレメントにシンボルをマッピングする。
【０１０８】
（４）処理の流れ
図８及び図９を参照して、第１の実施形態の処理の例を説明する。
【０１０９】
−ダウンリンク
図８は、第１の実施形態の処理の概略的な流れの第１の例を説明するためのシーケンス図である。当該第１の例は、基地局１００が端末装置２００へダウンリンクデータを送信する例である。
【０１１０】
基地局１００は、端末装置２００のためのＤＣＩを生成して取得し、当該ＤＣＩを端末装置２００へ送信する（Ｓ３０１）。端末装置２００は、当該ＤＣＩを受信する。上記ＤＣＩは、端末装置２００に割り当てられる無線リソースを示す割当て情報、及び当該無線リソース内のガードバンドを示すガードバンド情報を含む。上記無線リソースは、異なるサブキャリアが混在する周波数帯域内の無線リソースである。また、上記無線リソースは、ダウンリンクの無線リソースである。上記周波数帯域は、ＦＤＤのダウンリンク帯域であってもよい。あるいは、上記周波数帯域は、ＴＤＤの周波数帯域であってもよく、上記無線リソースは、ダウンリンクサブフレーム内の無線リソースであってもよい。
【０１１１】
さらに、基地局１００は、上記無線リソースにおいて端末装置２００へのダウンリンクデータを送信する（Ｓ３０３）。端末装置２００は、上記割当て情報により示される上記無線リソースにおいて上記ダウンリンクデータを受信する。
【０１１２】
例えば、上記無線リソースが、上記無線リソースとは異なるサブキャリア間隔をもつ他の無線リソースと隣接する。この場合には、基地局１００は、当該他の無線リソースに隣接する１つ以上のサブキャリアをガードバンドとして使用して、上記無線リソースにおいて上記ダウンリンクデータを送信する。また、上記ガードバンド情報は、上記他の無線リソースに隣接する上記１つ以上のサブキャリアをガードバンドとして示すので、端末装置２００は、上記１つ以上のサブキャリアをガードバンドとして使用して、上記無線リソースにおいて上記ダウンリンクデータを受信する。
【０１１３】
あるいは、上記無線リソースは、上記他の無線リソースとは隣接しない。この場合には、基地局１００は、上記無線リソースにおいてガードバンドなしで上記ダウンリンクデータを送信する。また、上記ガードバンド情報は、上記無線リソースにおいてガードバンドが存在しないことを示すので、端末装置２００は、上記無線リソースにおいてガードバンドなしで上記ダウンリンクデータを受信する。
【０１１４】
ステップＳ３０５、Ｓ３０７、及び、ステップＳ３０９、Ｓ３１１でも、ステップＳ３０１、Ｓ３０３と同様の動作が行われる。
【０１１５】
−アップリンク
図９は、第１の実施形態の処理の概略的な流れの第２の例を説明するためのシーケンス図である。当該第２の例は、端末装置２００が基地局１００へアップリンクデータを送信する例である。
【０１１６】
基地局１００は、端末装置２００のためのＤＣＩを生成して取得し、当該ＤＣＩを端末装置２００へ送信する（Ｓ３２１）。端末装置２００は、当該ＤＣＩを受信する。上記ＤＣＩは、端末装置２００に割り当てられる無線リソースを示す割当て情報、及び当該無線リソース内のガードバンドを示すガードバンド情報を含む。上記無線リソースは、異なるサブキャリアが混在する周波数帯域内の無線リソースである。また、上記無線リソースは、アップリンクの無線リソースである。上記周波数帯域は、ＦＤＤのアップリンク帯域であってもよい。あるいは、上記周波数帯域は、ＴＤＤの周波数帯域であってもよく、上記無線リソースは、アップリンクサブフレーム内の無線リソースであってもよい。
【０１１７】
さらに、端末装置２００は、上記割当て情報により示される上記無線リソースにおいてアップリンクデータを送信する（Ｓ３２３）。基地局１００は、上記無線リソースにおいて上記アップリンクデータを受信する。
【０１１８】
例えば、上記無線リソースが、上記無線リソースとは異なるサブキャリア間隔をもつ他の無線リソースと隣接する。この場合には、上記ガードバンド情報は、上記他の無線リソースに隣接する１つ以上のサブキャリアをガードバンドとして示すので、端末装置２００は、上記１つ以上のサブキャリアをガードバンドとして使用して、上記無線リソースにおいて上記アップリンクデータを送信する。基地局１００は、上記他の無線リソースに隣接する上記１つ以上のサブキャリアをガードバンドとして使用して、上記無線リソースにおいて上記アップリンクデータを受信する。
【０１１９】
あるいは、上記無線リソースは、上記他の無線リソースとは隣接しない。この場合には、上記ガードバンド情報は、上記無線リソース内にガードバンドが存在しないことを示すので、端末装置２００は、上記無線リソースにおいてガードバンドなしで上記アップリンクデータを送信する。基地局１００は、上記無線リソースにおいてガードバンドなしで上記アップリンクデータを受信する。
【０１２０】
ステップＳ３２５、Ｓ３２７、及び、ステップＳ３２９、Ｓ３３１でも、ステップＳ３２１、Ｓ３２３と同様の動作が行われる。
【０１２１】
（５）「送信」／「受信」／「無線通信」の意味
ここでの「送信する」／「送信を行う」とは、例えば、複数のプロトコルレイヤのうちの少なくとも１つのプロトコルレイヤにおける送信処理を行うことを意味し、有線又は無線で信号を出力することを意味しない。同様に、ここでの「受信する」／「受信を行う」とは、例えば、複数のプロトコルレイヤのうちの少なくとも１つのプロトコルレイヤにおける受信処理を行うことを意味する。同様に「無線通信を行う」とは、例えば、複数のプロトコルレイヤのうちの少なくとも１つのプロトコルレイヤにおける受信処理又は送信処理を行うことを意味する。一例として、当該複数のプロトコルレイヤは、物理レイヤ、ＭＡＣ（Media  Access  Control）レイヤ、ＲＬＣ（Radio  Link  Control）レイヤ、ＰＤＣＰ（Packet  Data  Convergence  Protocol）レイヤ及びＲＲＣ（Radio  Resource  Control）レイヤである。別の例として、上記複数のプロトコルレイヤは、物理レイヤ、ＭＡＣレイヤ、ＩＰ（Internet  Protocol）レイヤ及びトランスポートレイヤである。
【０１２２】
また、ここでの「ＸをＹへ送信する」とは、ＸをＹへ直接的に送信することに限られず、ＸをＹへ間接的に送信すること（即ち、Ｘを他のノードへ送信し、当該他のノードによる転送を経てＸがＹへ送信されること）を含む。同様に、ここでの「ＸをＹから受信する」とは、ＸをＹから直接的に受信することに限られず、ＸをＹから間接的に受信すること（即ち、Ｙにより送信されたＸを他のノードによる転送を経て受信すること）を含む。
【０１２３】
＜２．５．変形例＞
次に、図１０〜図１３を参照して、第１の実施形態の変形例を説明する。
【０１２４】
上述した第１の実施形態の例では、上記周波数帯域は、基地局１００により使用される周波数帯域である。即ち、基地局１００が、上記周波数帯域における無線通信を行う。
【０１２５】
一方、第１の実施形態の変形例では、上記周波数帯域は、基地局１００とは異なる他の基地局により使用される。即ち、基地局１００が、上記周波数帯域についての制御情報を送信しつつ、他の基地局が、上記周波数帯域における無線通信を行う。
【０１２６】
（１）システムの構成
図１０は、第１の実施形態の変形例のシステム１の概略的な構成の一例を示す説明図である。図１０を参照すると、変形例では、システム１は、基地局１００及び端末装置２００に加えて、基地局４００をさらに含む。
【０１２７】
基地局４００は、セル４０（又はカバレッジエリア４０）内に位置する端末装置（例えば端末装置２００）との無線通信を行う。例えば、基地局４００は、ダウンリンクで端末装置への信号を送信し、アップリンクで端末装置からの信号を受信する。
【０１２８】
とりわけ変形例では、端末装置２００は、基地局１００及び基地局４００の両方と同時に無線通信を行うことが可能である。換言すると、端末装置２００は、基地局１００及び基地局４００の両方と同時に接続されることが可能である。例えば、端末装置２００は、基地局１００との無線通信を行いつつ、基地局４００との無線通信も行う。
【０１２９】
図１０に示されるように、例えば、基地局１００のセル１０がマクロセルであり、基地局４００のセル４０がスモールセルである。ただし、変形例はこの例に限定されない。反対に、基地局１００のセル１０がスモールセルであり、基地局４００のセル４０がマクロセルであってもよい。あるいは、基地局１００のセル１０と基地局４００のセル４０とは、同じ種類のセル（例えば、マクロセル又はスモールセル）であってもよい。
【０１３０】
例えば、基地局４００は、無線アクセス方式としてＯＦＤＭを使用する。あるいは、基地局１００は、他の無線アクセス方式（例えば、Ｆｉｌｔｅｒｅｄ  ＯＦＤＭ、ＵＦＭＣ、ＧＦＤＭ等）を使用してもよい。上記無線アクセス方式は、ダウンリンクの方式であってもよく、又はアップリンクの方式であってもよい。ダウンリンクの方式及びアップリンクの方式は、異なる方式であってもよく、又は同一の方式であってもよい。
【０１３１】
基地局４００は、端末装置との無線通信を行うノードであり、換言するとＲＡＮのノードである。例えば、基地局４００は、ＮｏｄｅＢ、Ｈ−ＮｏｄｅＢ、ｅＮｏｄｅＢ若しくはＨ−ｅＮｏｄｅＢであってもよく、又は、５ＧにおけるｇＮｏｄｅＢであってもよい。基地局４００は、複数のユニット（又は複数のノード）を含んでもよい。当該複数のユニット（又は複数のノード）は、下位のプロトコルレイヤの処理を行う第１ユニット（又は第１ノード）と、上位のプロトコルレイヤの処理を行う第２ユニット（又は第２ノード）とを含んでもよい。一例として、上記第１のユニットは、分散ユニット（ＤＵ）又はアクセスユニット（ＡＵ）と呼ばれてもよく、上記第２のユニットは、中央ユニット（ＣＵ）と呼ばれてもよい。別の例として、上記第１のユニットは、無線ユニット（ＲＵ）又はリモートユニット（ＲＵ）と呼ばれてもよく、上記第２のユニットは、デジタルユニット（ＤＵ）と呼ばれてもよい。当該ＲＵは、ＲＲＨ又はＲＲＵであってもよく、当該ＤＵは、ＢＢＵであってもよい。当然ながら、上記第１のユニット（又は第１のノード）及び上記第２のユニット（又は第２のノード）の呼称は、この例に限定されない。あるいは、基地局４００は、単一のユニット（又は単一のノード）であってもよい。この場合に、基地局４００は、上記複数のユニットのうちの１つ（例えば、上記第１のユニット及び上記第２のユニットの一方）であってもよく、上記複数のユニットのうちの他のユニット（例えば、上記第１のユニット及び上記第２のユニットの他方）と接続されていてもよい。
【０１３２】
（２）基地局４００の構成
図１１は、第１の実施形態の変形例の基地局４００の概略的な構成の例を示すブロック図である。図１１を参照すると、基地局４００は、無線通信部４１０、ネットワーク通信部４２０、記憶部４３０及び処理部４４０を備える。
【０１３３】
−無線通信部４１０
無線通信部４１０は、信号を無線で送受信する。例えば、無線通信部４１０は、端末装置からの信号を受信し、端末装置への信号を送信する。
【０１３４】
−ネットワーク通信部４２０
ネットワーク通信部４２０は、バックホールから信号を受信し、バックホールへ信号を送信する。
【０１３５】
−記憶部４３０
記憶部４３０は、基地局４００の動作のためのプログラム及びパラメータ、並びに様々なデータを、一時的に又は恒久的に記憶する。
【０１３６】
−処理部４４０
処理部４４０は、基地局４００の様々な機能を提供する。処理部４４０は、通信処理部４４１を含む。なお、処理部４４０は、通信処理部４４１以外の他の構成要素をさらに含み得る。即ち、処理部４４０は、通信処理部４４１の動作以外の動作も行い得る。通信処理部４４１の具体的な動作は、後に詳細に説明する。
【０１３７】
例えば、処理部４４０（通信処理部４４１）は、無線通信部４１０を介して端末装置（例えば、端末装置２００）と通信する。例えば、処理部４４０は、ネットワーク通信部４２０を介して他のネットワークノードと通信する。
【０１３８】
−実装例
無線通信部４１０は、アンテナ及び高周波（ＲＦ）回路等により実装されてもよい。ネットワーク通信部４２０は、ネットワークアダプタ又はネットワークインタフェースカード等により実装されてもよい。記憶部４３０は、メモリ（例えば、不揮発性メモリ及び／若しくは揮発性メモリ）並びに／又はハードディスク等により実装されてもよい。処理部４４０は、ベースバンド（ＢＢ）プロセッサ及び／又は他のプロセッサ等により実装されてもよい。上記メモリ（記憶部４３０）は、このようなプロセッサ（チップ）内に含まれてもよい。
【０１３９】
基地局４００は、プログラムを記憶するメモリと、当該プログラムを実行可能な１つ以上のプロセッサとを含んでもよく、当該１つ以上のプロセッサは、処理部４４０（通信処理部４４１）の動作を行ってもよい。上記プログラムは、処理部４４０（通信処理部４４１）の動作を上記１つ以上のプロセッサに実行させるためのプログラムであってもよい。
【０１４０】
（３）技術的特徴（無線通信）
とりわけ変形例では、上記周波数帯域（即ち、異なるサブキャリアが混在する周波数帯域）は、基地局１００ではなく基地局４００により使用される周波数帯域である。即ち、基地局１００ではなく、基地局４００（通信処理部４４１）が、上記周波数帯域内の１つ以上のサブキャリアをガードバンドとして使用して、上記周波数帯域における無線通信を行う。当該無線通信は、ダウンリンク送信であってもよく、又は、アップリンク受信であってもよい。
【０１４１】
図６の例では、基地局４００は、帯域２１と帯域２３との境界付近のサブキャリア３１、３３をガードバンドとして使用して、周波数帯域２０における無線通信を行う。
【０１４２】
図７の例では、基地局４００は、帯域２１と帯域２５との境界付近のサブキャリア３１、３３をガードバンドとして使用し、且つ、帯域２５と帯域２７との境界付近のサブキャリア３５、３７もガードバンドとして使用して、周波数帯域２０における無線通信を行う。
【０１４３】
（４）技術的特徴（処理の流れ）
図１２及び図１３を参照して、第１の実施形態の変形例の処理の例を説明する。
【０１４４】
−ダウンリンク
図１２は、第１の実施形態の変形例の処理の概略的な流れの第１の例を説明するためのシーケンス図である。当該第１の例は、基地局４００が端末装置２００へダウンリンクデータを送信する例である。
【０１４５】
ステップＳ３４１についての説明は、図８の例におけるステップＳ３０１についての説明と同じである。よって、ここでは重複する説明を省略する。
【０１４６】
基地局４００は、端末装置２００に割り当てられる無線リソースにおいて端末装置２００へのダウンリンクデータを送信する（Ｓ３４３）。端末装置２００は、ＤＣＩの中の割当て情報により示される上記無線リソースにおいて上記ダウンリンクデータを受信する。
【０１４７】
例えば、上記無線リソースが、上記無線リソースとは異なるサブキャリア間隔をもつ他の無線リソースと隣接する。この場合には、基地局４００は、当該他の無線リソースに隣接する１つ以上のサブキャリアをガードバンドとして使用して、上記無線リソースにおいて上記ダウンリンクデータを送信する。また、上記ＤＣＩの中のガードバンド情報は、上記他の無線リソースに隣接する上記１つ以上のサブキャリアをガードバンドとして示すので、端末装置２００は、上記１つ以上のサブキャリアをガードバンドとして使用して、上記無線リソースにおいて上記ダウンリンクデータを受信する。
【０１４８】
あるいは、上記無線リソースは、上記他の無線リソースとは隣接しない。この場合には、基地局４００は、上記無線リソースにおいてガードバンドなしで上記ダウンリンクデータを送信する。また、上記ガードバンド情報は、上記無線リソースにおいてガードバンドが存在しないことを示すので、端末装置２００は、上記無線リソースにおいてガードバンドなしで上記ダウンリンクデータを受信する。
【０１４９】
ステップＳ３４５、Ｓ３４７、及び、ステップＳ３４９、Ｓ３５１でも、ステップＳ３４１、Ｓ３４３と同様の動作が行われる。
【０１５０】
−アップリンク
図１３は、第１の実施形態の変形例の処理の概略的な流れの第２の例を説明するためのシーケンス図である。当該第２の例は、端末装置２００が基地局４００へアップリンクデータを送信する例である。
【０１５１】
ステップＳ３６１についての説明は、図９の例におけるステップＳ３２１についての説明と同じである。よって、ここでは重複する説明を省略する。
【０１５２】
端末装置２００は、ＤＣＩの中の割当て情報により示される無線リソースにおいてアップリンクデータを送信する（Ｓ３６３）。基地局４００は、上記無線リソースにおいて上記アップリンクデータを受信する。
【０１５３】
例えば、上記無線リソースが、上記無線リソースとは異なるサブキャリア間隔をもつ他の無線リソースと隣接する。この場合には、上記ＤＣＩの中のガードバンド情報は、上記他の無線リソースに隣接する１つ以上のサブキャリアをガードバンドとして示すので、端末装置２００は、上記１つ以上のサブキャリアをガードバンドとして使用して、上記無線リソースにおいて上記アップリンクデータを送信する。基地局４００は、上記他の無線リソースに隣接する上記１つ以上のサブキャリアをガードバンドとして使用して、上記無線リソースにおいて上記アップリンクデータを受信する。
【０１５４】
あるいは、上記無線リソースは、上記他の無線リソースとは隣接しない。この場合には、上記ガードバンド情報は、上記無線リソース内にガードバンドが存在しないことを示すので、端末装置２００は、上記無線リソースにおいてガードバンドなしで上記アップリンクデータを送信する。基地局４００は、上記無線リソースにおいてガードバンドなしで上記アップリンクデータを受信する。
【０１５５】
ステップＳ３６５、Ｓ３６７、及び、ステップＳ３６９、Ｓ３７１でも、ステップＳ３６１、Ｓ３６３と同様の動作が行われる。
【０１５６】
（５）その他
例えば、上記周波数帯域についてのスケジューリング（例えば、無線リソースの割当て、及びガードバンドの決定等）は、基地局１００（処理部１４０）により行われる。この場合に、基地局１００（処理部１４０）は、当該スケジューリングの結果（例えば、上記制御情報に相当する情報）を基地局４００へ送信する。
【０１５７】
あるいは、上記スケジューリングは、基地局４００（処理部４４０）により行われてもよい。この場合に、基地局４００（処理部４４０）は、上記スケジューリングの結果（例えば、上記制御情報に相当する情報）を基地局１００へ送信してもよい。基地局４００が、上記制御情報そのものを生成し、基地局１００へ上記制御情報そのものを送信する場合には、基地局１００（情報取得部１４１）は、上記制御情報を自ら生成せず、基地局４００からの上記制御情報を取得してもよい。基地局４００（処理部４４０）は、上記制御情報を生成する情報生成部をさらに備えてもよい。
【０１５８】
＜＜３．第２の実施形態＞＞
続いて、図１４〜図２４を参照して、本発明の第２の実施形態を説明する。
【０１５９】
第１の実施形態では、上述したように、例えば、周波数帯域においてサブキャリア間隔及びガードバンドがダイナミックに構成（configure）される。一方、第２の実施形態では、周波数帯域内においてサブキャリア間隔及びガードバンドはセミスタティック（semi-static）に構成される。
【０１６０】
＜３．１．システムの構成＞
図１４を参照して、第２の実施形態のシステム２の構成の例を説明する。図１４は、第２の実施形態のシステム２の概略的な構成の一例を示す説明図である。図２を参照すると、システム２は、基地局５００及び端末装置６００を含む。
【０１６１】
ここでのシステム２、基地局５００及び端末装置６００についての説明は、符号の相違を除き、上述した＜２．１．システムの構成＞における第１の実施形態のシステム１、基地局１００及び端末装置２００についての説明と同じである。よって、ここでは重複する説明を省略する。
【０１６２】
＜３．２．基地局の構成＞
次に、図１５を参照して、第２の実施形態の基地局５００の構成の例を説明する。図１５は、第２の実施形態の基地局５００の概略的な構成の例を示すブロック図である。図１５を参照すると、基地局５００は、無線通信部５１０、ネットワーク通信部５２０、記憶部５３０及び処理部５４０を備える。
【０１６３】
ここでの無線通信部５１０、ネットワーク通信部５２０、記憶部５３０及び処理部５４０についての説明は、符号の相違を除き、上述した＜２．２．基地局の構成＞における第１の実施形態の無線通信部１１０、ネットワーク通信部１２０、記憶部１３０及び処理部１４０についての説明と同じである。よって、ここでは重複する説明を省略する。
【０１６４】
＜３．３．端末装置の構成＞
次に、図１６を参照して、第２の実施形態の端末装置６００の構成の例を説明する。図１６は、第２の実施形態の端末装置６００の概略的な構成の例を示すブロック図である。図１６を参照すると、端末装置６００は、無線通信部６１０、記憶部６２０及び処理部６３０を備える。
【０１６５】
ここでの無線通信部６１０、記憶部６２０及び処理部６３０についての説明は、符号の相違を除き、上述した＜２．３．端末装置の構成＞における第１の実施形態の無線通信部２１０、記憶部２２０及び処理部２３０についての説明と同じである。よって、ここでは重複する説明を省略する。
【０１６６】
＜３．４．技術的特徴＞
次に、図１７〜図２０を参照して、第２の実施形態の技術的特徴を説明する。
【０１６７】
基地局５００（情報取得部５４１）は、第１のサブキャリア間隔をもつ第１の帯域と第２のサブキャリア間隔をもつ第２の帯域とを含む周波数帯域内のガードバンドを示すガードバンド情報を取得する。そして、基地局５００（通信処理部５４３）は、上記ガードバンド情報を端末装置６００へ送信する。なお、例えば、基地局５００（情報取得部５４１）は、上記ガードバンド情報を生成することにより、上記ガードバンド情報を取得する。
【０１６８】
端末装置６００（通信処理部６３１）は、上記ガードバンド情報を基地局５００から受信する。そして、端末装置６００（通信処理部６３１）は、上記ガードバンド情報に基づいて上記周波数帯域における無線通信を行う。
【０１６９】
ここでの「サブキャリア」とは、信号を搬送可能な最小単位の周波数であり、一例として、ＯＦＤＭのサブキャリアである。「サブキャリア」は、単にキャリアと呼ばれてもよい。また、「サブキャリア間隔」とは、サブキャリアが配置される間隔である。また、「ガードバンド」とは、信号が送信されない周波数又は帯域であり、例えば１つ以上のサブキャリアを含む。
【０１７０】
（１）周波数帯域
上述したように、上記周波数帯域は、上記第１のサブキャリア間隔をもつ上記第１の帯域と、上記第２のサブキャリア間隔をもつ上記第２の帯域とを含む。換言すると、上記周波数帯域は、異なるサブキャリア間隔が混在する周波数帯域である。例えば、上記第１の帯域と上記第２の帯域とは、上記周波数帯域内で互いに隣接する。当然ながら、上記周波数帯域は、１つ以上の他の帯域（例えば、第３の帯域）をさらに含んでもよい。当該１つ以上の他の帯域の各々は、上記第１のサブキャリア間隔又は上記第２のサブキャリア間隔をもつ帯域であってもよく、他のサブキャリア間隔をもつ帯域であってもよい。
【０１７１】
第２の実施形態では、例えば、上記第１の帯域及び上記第２の帯域は、オペレータ又はネットワークによりセミスタティックに構成される。即ち、上記第１の帯域及び上記第２の帯域は、ある程度長い期間（例えばＴＴＩ／サブフレームと比べると長い期間）固定される。以下、図１７を参照して、上記周波数帯域の例を説明する。
【０１７２】
図１７は、第２の実施形態の周波数帯域の例を説明するための説明図である。図１７を参照すると、周波数帯域６０が示されている。周波数帯域６０は、１５ｋＨｚのサブキャリア間隔をもつ帯域６１と、３０ｋＨｚのサブキャリア間隔をもつ帯域６３とを含む。例えば、このような帯域６１及び帯域６３が、オペレータ又はネットワークにより構成されており、ある程度長い期間（例えばＴＴＩ／サブフレームと比べると長い期間）固定される。この例では、周波数帯域６０は、５つのリソースブロック（ＲＢ）（ＲＢ＃０〜＃４）を含み、ＲＢ＃０〜＃２は、１５ｋＨｚのサブキャリア間隔をもつ帯域６１に含まれ、ＲＢ＃３〜＃４は、３０ｋＨｚのサブキャリア間隔をもつ帯域６３に含まれる。そのため、例えば、１５ｋＨｚのサブキャリア間隔を使用するユーザ＃０及びユーザ＃１には、帯域６１内のＲＢ＃０、ＲＢ＃１及びＲＢ＃２が割り当てられる。また、３０ｋＨｚのサブキャリア間隔を使用するユーザ＃２には、帯域６３内のＲＢ＃３及び＃４が割り当てられる。
【０１７３】
このように、周波数帯域内で異なるサブキャリア間隔を使用することにより、例えば、異なる要求をもつ異なるサービスに応えることが可能になる。より具体的には、例えば、周波数方向において大きいサブキャリア間隔を使用することにより、時間方向においてシンボル長が短くなり、低遅延で信号が送信され得る。そのため、例えば、低遅延を要求するサービスに応えることが可能になる。また、例えば、周波数方向において小さいサブキャリア間隔を使用することにより、同時に接続可能な端末装置の数が大きくなり得る。そのため、例えば、多数の端末装置との接続を要求するサービスに応えることが可能になる。
【０１７４】
なお、上記周波数帯域は、ＦＤＤの周波数帯域であってもよい、この場合に、上記周波数帯域は、ダウンリンク帯域であってもよく、又はアップリンク帯域であってもよい。あるいは、上記周波数帯域は、ＴＤＤの周波数帯域であってもよい。
【０１７５】
（２）ガードバンド情報
とりわけ第２の実施形態では、基地局５００（情報取得部５４１）は、制御プロトコルのメッセージを取得し、当該メッセージは、上記ガードバンド情報を含む。そして、基地局５００（通信処理部５４３）は、上記メッセージを端末装置６００へ送信する。なお、例えば、基地局５００（情報取得部５４１）は、上記メッセージを生成することにより、上記メッセージを取得する。
【０１７６】
−メッセージ
例えば、上記制御プロトコルは、ＲＲＣ（Radio  Resource  Control）プロトコルであり、上記メッセージは、ＲＲＣメッセージである。
【０１７７】
−−第１の例：端末装置６００のためのシグナリングメッセージ
第１の例として、上記メッセージは、端末装置６００のためのシグナリングメッセージ（即ち、端末装置６００のための個別のメッセージ）である。例えば、当該シグナリングメッセージは、ＲＲＣシグナリングメッセージである。
【０１７８】
具体的には、例えば、上記シグナリングメッセージは、上記周波数帯域についての端末装置６００の接続手続き内のメッセージである。即ち、基地局５００（通信処理部５４３）は、端末装置６００の接続の際に、上記ガードバンド情報を端末装置６００へ送信する。一例として、上記シグナリングメッセージは、ＲＲＣ  ＣＯＮＮＥＣＴＩＯＮ  ＳＥＴＵＰ  ＲＥＱＵＥＳＴメッセージである。即ち、ＲＲＣ  ＣＯＮＮＥＣＴＩＯＮ  ＳＥＴＵＰ  ＲＥＱＵＥＳＴメッセージに、上記ガードバンド情報が追加される。
【０１７９】
これにより、例えば、基地局５００に接続する端末装置６００に特定のタイミングで（例えば接続時に）上記ガードバンド情報を送信することが可能になる。そのため、例えば、第１の実施形態のようにサブフレームごとにガードバンド情報を送信する必要はなく、ガードバンド情報の通知に要する無線リソースの量が抑えられ得る。
【０１８０】
なお、基地局５００（通信処理部５４３）は、ガードバンドを含む無線リソースが割り当てられる（可能性がある）端末装置のみへ、上記メッセージを送信してもよい。即ち、基地局５００（通信処理部５４３）は、ガードバンドを含む無線リソースが端末装置６００に割り当てられる（可能性がある）場合に、上記メッセージを端末装置６００へ送信してもよい。これにより、ガードバンド情報の通知に要する無線リソースの量がさらに抑えられ得る。
【０１８１】
−−第２の例：システム情報
第２の例として、上記メッセージは、システム情報であってもよい。当該システム情報は、基地局５００によりブロードキャストされる情報であり、基地局５００のセル５０内に位置する全ての端末装置により受信可能である。
【０１８２】
具体的には、例えば、上記システム情報は、マスター情報ブロック（Master  Information  Block：ＭＩＢ）である。例えば、上記システム情報は、無線フレーム（Radio  Frame：ＲＦ）の中の特定のサブフレーム内で送信される。一例として、無線フレームに含まれるサブフレーム＃０〜＃９（１０サブフレーム）のうちのサブフレーム＃０、＃５内で、上記システム情報が送信される。また、上記システム情報は、上記周波数帯域内の特定の帯域（例えば、図１７の例におけるＲＢ＃２）において送信される。
【０１８３】
あるいは、上記システム情報は、システム情報ブロック（System  Information  Block：ＳＩＢ）であってもよい。
【０１８４】
これにより、例えば、端末装置ごとに上記ガードバンド情報を送信する必要はなく、ガードバンド情報の通知に要する無線リソースの量が抑えられ得る。また、端末装置６００は、基地局５００に接続される前に、ガードバンドを知ることが可能になる。
【０１８５】
−ガードバンド
例えば、上記ガードバンド情報により示される上記ガードバンドは、１つ以上のサブキャリアである。また、例えば、上記ガードバンドは、無線リソースの割当ての単位であるリソースブロック（ＲＢ）よりも狭い。これにより、（例えばＲＢ単位でガードバンドを設けるのと比べて）ガードバンドによる周波数利用効率の低下を抑えることが可能になる。
【０１８６】
例えば、上記第１の帯域と上記第２の帯域とは、上記周波数帯域内で互いに隣接し、上記ガードバンドは、上記第１の帯域と上記第２の帯域との境界付近の１つ以上のサブキャリアを含む。より具体的には、例えば、当該境界付近の当該１つ以上のサブキャリアは、上記第１の帯域内の、上記第２の帯域に隣接する１つ以上のサブキャリア、又は、上記第２の帯域内の、上記第１の帯域に隣接する１つ以上のサブキャリアを含む。以下、図１８を参照して、上記ガードバンド情報により示される上記ガードバンドの例を説明する。
【０１８７】
図１８は、ガードバンド情報により示されるガードバンドの例を説明するための説明図である。図１８を参照すると、図１７と同様に、周波数帯域６０、帯域６１及び帯域６３が示されている。この例では、帯域６１と帯域６３とは、周波数帯域６０内で互いに隣接し、ガードバンド情報により示されるガードバンドは、サブキャリア７１、７３である。
【０１８８】
なお、図１８を参照して、ガードバンドが２つのサブキャリアである例を説明したが、当然ながら、第２の実施形態はこの例に限定されない。ガードバンドは、１つのサブキャリア（一方の帯域の１つのサブキャリア、例えばサブキャリア７１、７３の一方）であってもよく、３つ以上のサブキャリアであってもよい。
【０１８９】
このようなガードバンドにより、例えば、周波数帯域内に異なるサブキャリア間隔が混在しても、サブキャリア間の干渉（特に、異なるサブキャリア間隔をもつサブキャリア間での干渉）を抑えることが可能になる。
【０１９０】
−ガードバンド情報
−−境界情報
例えば、上記ガードバンド情報は、上記第１の帯域と上記第２の帯域との境界を示す境界情報を含む。
【０１９１】
具体的には、例えば、当該境界情報は、上記第１の帯域を示す第１帯域情報と、上記第２の帯域を示す第２帯域情報とを含む。即ち、上記境界情報は、上記境界を間接的に示す情報である。例えば、上記第１帯域情報は、上記第１の帯域の開始位置（例えば、上記第１の帯域の開始位置の後（又は前）にあるＲＢ）を示す情報と、上記第１の帯域の幅（例えば、ＲＢ数）又は終了位置（例えば、上記第１の帯域の終了位置の後（又は前）にあるＲＢ）を示す情報とを含む。上記第１帯域情報は、上記第１のサブキャリア間隔を示すサブキャリア間隔情報をさらに含んでもよい。上記第２帯域情報の内容も、上記第１帯域情報の内容と同様である。
【０１９２】
あるいは、上記境界情報は、上記周波数帯域における上記境界を直接的に示す情報であってもよい。例えば、上記境界情報は、上記境界の後（又は前）にあるリソースブロックを示す情報（例えば、ＲＢインデックス）であってもよく、上記境界そのものの情報（例えば、境界インデックス）であってもよい。
【０１９３】
−−幅情報
上記ガードバンド情報は、上記ガードバンドの幅を示す幅情報を含んでもよい。例えば、当該幅情報は、上記ガードバンドに含まれるサブキャリア数を示してもよい。
【０１９４】
あるいは、上記ガードバンドの幅は、固定的であってもよい。この場合に、上記ガードバンド情報は、上記幅情報を含まなくてもよい。
【０１９５】
以上のように、第２の実施形態では、上記メッセージが上記ガードバンド情報を含み、基地局５００は、上記メッセージを端末装置６００へ送信する。これにより、例えば、第２の実施形態のようにサブフレームごとにガードバンド情報を送信する必要はなく、ガードバンド情報の通知に要する無線リソースの量が抑えられ得る。
【０１９６】
（３）無線通信
−基地局
例えば、上記周波数帯域は、基地局５００により使用される周波数帯域である。この場合に、基地局５００（通信処理部５４３）は、上記周波数帯域内の１つ以上のサブキャリアをガードバンドとして使用して、上記周波数帯域における無線通信を行う。当該無線通信は、ダウンリンク送信であってもよく、又は、アップリンク受信であってもよい。
【０１９７】
例えば、上記第１の帯域と上記第２の帯域とは、上記周波数帯域内で互いに隣接し、上記１つ以上のサブキャリア（ガードバンド）は、上記第１の帯域と上記第２の帯域との境界付近の１つ以上のサブキャリアを含む。より具体的には、例えば、当該境界付近の当該１つ以上のサブキャリアは、上記第１の帯域内の、上記第２の帯域に隣接する１つ以上のサブキャリア、又は、上記第２の帯域内の、上記第１の帯域に隣接する１つ以上のサブキャリアを含む。
【０１９８】
図１８の例では、基地局５００は、帯域６１と帯域６３との境界付近のサブキャリア７１、７３をガードバンドとして使用して、周波数帯域６０における無線通信を行う。
【０１９９】
これにより、例えば、サブキャリア間での干渉を抑えつつ、周波数帯域内に異なるサブキャリア間隔を混在させることが可能になる。
【０２００】
−端末装置
上述したように、端末装置６００（通信処理部６３１）は、上記ガードバンド情報を基地局５００から受信し、当該ガードバンド情報に基づいて上記周波数帯域における無線通信を行う。
【０２０１】
例えば、端末装置６００（通信処理部６３１）は、メッセージ（例えばＲＲＣシグナリングメッセージ）を受信し、当該メッセージに含まれるガードバンド情報を取得する。そして、端末装置６００（通信処理部６３１）は、当該ガードバンド情報からガードバンドを識別する。さらに、端末装置６００（通信処理部６３１）は、制御情報（例えばＤＣＩ）を受信し、当該制御情報に含まれる割当て情報を取得し、当該割当て情報から、端末装置６００に割り当てられる無線リソースを識別する。当該無線リソース内に上記ガードバンドの少なくとも一部（１つ以上のサブキャリア）が存在する場合には、端末装置６００（通信処理部６３１）は、当該少なくとも一部（当該１つ以上のサブキャリア）をガードバンドとして使用して、上記周波数帯域における無線通信を行う。当該無線通信は、ダウンリンク受信であってもよく、又は、アップリンク送信であってもよい。
【０２０２】
例えば、上記第１の帯域と上記第２の帯域とは、上記周波数帯域内で互いに隣接し、上記１つ以上のサブキャリアは、上記第１の帯域と上記第２の帯域との境界付近の１つ以上のサブキャリアを含む。より具体的には、例えば、当該境界付近の当該１つ以上のサブキャリアは、上記第１の帯域内の、上記第２の帯域に隣接する１つ以上のサブキャリア、又は、上記第２の帯域内の、上記第１の帯域に隣接する１つ以上のサブキャリアを含む。
【０２０３】
図１８の例では、一例として、端末装置６００はユーザ＃１であり、端末装置６００は、帯域６１と帯域６３との境界付近のサブキャリア７１をガードバンドとして使用して、周波数帯域２０（ＲＢ＃１及びＲＢ＃２）における無線通信を行う。別の例として、端末装置６００はユーザ＃２であり、端末装置６００は、帯域６１と帯域６３との境界付近のサブキャリア７３をガードバンドとして使用して、周波数帯域２０（ＲＢ＃３及びＲＢ＃４）における無線通信を行う。なお、端末装置６００がユーザ＃０である場合には、端末装置６００は、ガードバンドなしで周波数帯域２０（ＲＢ＃０）における無線通信を行う。
【０２０４】
−−ダウンリンク受信
例えば、端末装置６００（通信処理部６３１）は、上記ガードバンド情報に基づいて上記周波数帯域における受信を行う。より具体的には、例えば、上記周波数帯域における上記受信は、上記ガードバンド情報に基づいて上記周波数帯域内のリソースエレメントからシンボルを抽出することを含む。このようなシンボルの抽出は、シンボルのデマッピングとも呼ばれ得る。
【０２０５】
図１８の例では、一例として、端末装置６００はユーザ＃１であり、端末装置６００は、ＲＢ＃１及びＲＢ＃２に含まれるリソースエレメントからシンボルを抽出する。この場合に、端末装置６００は、サブキャリア７１のリソースエレメントからシンボルを抽出せず、他のサブキャリアのリソースエレメントからシンボルを抽出する。
【０２０６】
−−アップリンク送信
端末装置６００（通信処理部６３１）は、上記ガードバンド情報に基づいて上記周波数帯域における送信を行ってもよい。より具体的には、上記周波数帯域における上記送信は、上記ガードバンド情報に基づいて上記周波数帯域内のリソースエレメントにシンボルをマッピングすることを含んでもよい。
【０２０７】
図１８の例では、一例として、端末装置６００はユーザ＃１であり、端末装置６００は、ＲＢ＃１及びＲＢ＃２に含まれるリソースエレメントにシンボルをマッピングする。この場合に、端末装置６００は、サブキャリア７１のリソースエレメントにはシンボルをマッピングせず、他のサブキャリアのリソースエレメントにシンボルをマッピングする。
【０２０８】
（４）処理の流れ
図１９及び図２０を参照して、第２の実施形態の処理の例を説明する。
【０２０９】
−ダウンリンク
図１９は、第２の実施形態の処理の概略的な流れの第１の例を説明するためのシーケンス図である。当該第１の例は、基地局５００が端末装置６００へダウンリンクデータを送信する例である。
【０２１０】
基地局５００は、ＲＲＣメッセージを生成して取得し、当該ＲＲＣメッセージを送信し、端末装置６００は、当該ＲＲＣメッセージを受信する（Ｓ７０１）。上記ＲＲＣメッセージは、端末装置６００のためのＲＲＣシグナリングメッセージであってもよく、又は、システム情報であってもよい。上記ＲＲＣメッセージは、異なるサブキャリアが混在する周波数帯域内のガードバンドを示すガードバンド情報を含む。例えば、当該ガードバンド情報は、異なるサブキャリア間隔をもつ帯域間の境界を示す境界情報を含む。
【０２１１】
基地局５００は、端末装置６００のためのＤＣＩを端末装置６００へ送信する（Ｓ７０３）。端末装置６００は、当該ＤＣＩを受信する。上記ＤＣＩは、端末装置６００に割り当てられる無線リソースを示す割当て情報を含む。上記無線リソースは、異なるサブキャリアが混在する周波数帯域内の無線リソースである。また、上記無線リソースは、ダウンリンクの無線リソースである。上記周波数帯域は、ＦＤＤのダウンリンク帯域であってもよい。あるいは、上記周波数帯域は、ＴＤＤの周波数帯域であってもよく、上記無線リソースは、ダウンリンクサブフレーム内の無線リソースであってもよい。
【０２１２】
さらに、基地局５００は、上記無線リソースにおいて端末装置６００へのダウンリンクデータを送信する（Ｓ７０５）。端末装置６００は、上記割当て情報により示される上記無線リソースにおいて上記ダウンリンクデータを受信する。
【０２１３】
例えば、上記無線リソースが、異なるサブキャリア間隔をもつ帯域間の境界に隣接する。この場合には、基地局５００は、当該境界付近の１つ以上のサブキャリアをガードバンドとして使用して、上記無線リソースにおいて上記ダウンリンクデータを送信する。また、端末装置６００も、上記境界付近の上記１つ以上のサブキャリアをガードバンドとして使用して、上記無線リソースにおいて上記ダウンリンクデータを受信する。
【０２１４】
あるいは、上記無線リソースは、上記境界には隣接しない。この場合には、基地局５００は、上記無線リソースにおいてガードバンドなしで上記ダウンリンクデータを送信する。また、端末装置６００は、上記無線リソースにおいてガードバンドなしで上記ダウンリンクデータを受信する。
【０２１５】
ステップＳ７０７、Ｓ７０９、及び、ステップＳ７１１、Ｓ７１３でも、ステップＳ７０３、Ｓ７０５と同様の動作が行われる。
【０２１６】
−アップリンク
図２０は、第２の実施形態の処理の概略的な流れの第２の例を説明するためのシーケンス図である。当該第２の例は、端末装置６００が基地局５００へアップリンクデータを送信する例である。
【０２１７】
基地局５００は、ＲＲＣメッセージを生成して取得し、当該ＲＲＣメッセージを送信し、端末装置６００は、当該ＲＲＣメッセージを受信する（Ｓ７２１）。上記ＲＲＣメッセージは、端末装置６００のためのＲＲＣシグナリングメッセージであってもよく、又は、システム情報であってもよい。上記ＲＲＣメッセージは、異なるサブキャリアが混在する周波数帯域内のガードバンドを示すガードバンド情報を含む。例えば、当該ガードバンド情報は、異なるサブキャリア間隔をもつ帯域間の境界を示す境界情報を含む。
【０２１８】
基地局５００は、端末装置６００のためのＤＣＩを端末装置６００へ送信する（Ｓ７２３）。端末装置６００は、当該ＤＣＩを受信する。上記ＤＣＩは、端末装置６００に割り当てられる無線リソースを示す割当て情報を含む。上記無線リソースは、異なるサブキャリアが混在する周波数帯域内の無線リソースである。また、上記無線リソースは、アップリンクの無線リソースである。上記周波数帯域は、ＦＤＤのアップリンク帯域であってもよい。あるいは、上記周波数帯域は、ＴＤＤの周波数帯域であってもよく、上記無線リソースは、アップリンクサブフレーム内の無線リソースであってもよい。
【０２１９】
さらに、端末装置６００は、上記無線リソースにおいてアップリンクデータを送信する（Ｓ７２５）。基地局５００は、上記無線リソースにおいて上記アップリンクデータを受信する。
【０２２０】
例えば、上記無線リソースが、異なるサブキャリア間隔をもつ帯域間の境界に隣接する。この場合には、端末装置６００は、当該境界付近の１つ以上のサブキャリアをガードバンドとして使用して、上記無線リソースにおいて上記アップリンクデータを送信する。また、基地局５００も、上記境界付近の上記１つ以上のサブキャリアをガードバンドとして使用して、上記無線リソースにおいて上記アップリンクデータを受信する。
【０２２１】
あるいは、上記無線リソースは、上記境界には隣接しない。この場合には、端末装置６００は、上記無線リソースにおいてガードバンドなしで上記アップリンクデータを送信する。また、基地局５００は、上記無線リソースにおいてガードバンドなしで上記アップリンクデータを受信する。
【０２２２】
ステップＳ７２７、Ｓ７２９、及び、ステップＳ７３１、Ｓ７３３でも、ステップＳ７２３、Ｓ７２５と同様の動作が行われる。
【０２２３】
（５）「送信」／「受信」／「無線通信」の意味
「送信する」／「送信を行う」、「受信する」／「受信を行う」、及び「無線通信を行う」についての説明は、第１の実施形態における説明と同じである。よって、ここでは重複する説明を省略する。
【０２２４】
＜３．５．変形例＞
次に、図２１〜図２４を参照して、第２の実施形態の変形例を説明する。
【０２２５】
上述した第２の実施形態の例では、上記周波数帯域は、基地局５００により使用される周波数帯域である。即ち、基地局５００が、上記周波数帯域における無線通信を行う。
【０２２６】
一方、第２の実施形態の変形例では、上記周波数帯域は、基地局５００とは異なる他の基地局により使用される。即ち、基地局５００が、上記周波数帯域についての制御情報を送信しつつ、他の基地局が、上記周波数帯域における無線通信を行う。
【０２２７】
（１）システムの構成
図２１は、第２の実施形態の変形例のシステム２の概略的な構成の一例を示す説明図である。図２１を参照すると、変形例では、システム２は、基地局５００及び端末装置６００に加えて、基地局８００をさらに含む。
【０２２８】
ここでのシステム２、基地局５００、端末装置６００及び基地局８００についての説明は、符号の相違を除き、上述した＜２．５．変形例＞の「（１）システムの構成」おける第１の実施形態の変形例のシステム１，基地局１００、端末装置２００及び基地局４００についての説明と同じである。よって、ここでは重複する説明を省略する。
【０２２９】
（２）基地局８００の構成
図２２は、第２の実施形態の変形例の基地局８００の概略的な構成の例を示すブロック図である。図２２を参照すると、基地局８００は、無線通信部８１０、ネットワーク通信部８２０、記憶部８３０及び処理部８４０を備える。
【０２３０】
ここでの無線通信部８１０、ネットワーク通信部８２０、記憶部８３０及び処理部８４０についての説明は、符号の相違を除き、上述した＜２．５．変形例＞の「（２）基地局４００の構成」における第１の実施形態の変形例の無線通信部４１０、ネットワーク通信部４２０、記憶部４３０及び処理部４４０についての説明と同じである。よって、ここでは重複する説明を省略する。
【０２３１】
（３）技術的特徴（無線通信）
とりわけ変形例では、上記周波数帯域（即ち、異なるサブキャリアが混在する周波数帯域）は、基地局５００ではなく基地局８００により使用される周波数帯域である。即ち、基地局５００ではなく、基地局８００（通信処理部８４１）が、上記周波数帯域内の１つ以上のサブキャリアをガードバンドとして使用して、上記周波数帯域における無線通信を行う。当該無線通信は、ダウンリンク送信であってもよく、又は、アップリンク受信であってもよい。
【０２３２】
図１８の例では、基地局８００は、帯域６１と帯域６３との境界付近のサブキャリア７１、７３をガードバンドとして使用して、周波数帯域６０における無線通信を行う。
【０２３３】
（４）技術的特徴（処理の流れ）
図２３及び図２４を参照して、第２の実施形態の変形例の処理の例を説明する。
【０２３４】
−ダウンリンク
図２３は、第２の実施形態の変形例の処理の概略的な流れの第１の例を説明するためのシーケンス図である。当該第１の例は、基地局８００が端末装置６００へダウンリンクデータを送信する例である。
【０２３５】
ステップＳ７４１についての説明は、図１９の例におけるステップＳ７０１についての説明と同じである。よって、ここでは重複する説明を省略する。
【０２３６】
基地局８００は、端末装置６００のためのＤＣＩを端末装置６００へ送信する（Ｓ７４３）。端末装置６００は、当該ＤＣＩを受信する。さらに、基地局８００は、端末装置６００に割り当てられた無線リソースにおいて端末装置６００へのダウンリンクデータを送信する（Ｓ７４５）。端末装置６００は、上記割当て情報により示される上記無線リソースにおいて上記ダウンリンクデータを受信する。
【０２３７】
このようなステップＳ７４３、Ｓ７４５についての説明は、動作主体の相違（即ち、基地局５００ではなく基地局８００がＤＣＩ及びダウンリンクデータを送信するということ）を除き、図１９の例におけるステップＳ７０３、Ｓ７０５についての説明と同じである。よって、ここでは重複する説明を省略する。
【０２３８】
ステップＳ７４７、Ｓ７４９、及び、ステップＳ７５１、Ｓ７５３でも、ステップＳ７４３、Ｓ７４５と同様の動作が行われる。
【０２３９】
なお、ステップＳ７４３、Ｓ７４７、Ｓ７５１のＤＣＩの送信は、図１９の例と同様に、基地局８００ではなく基地局５００により行われてもよい。
【０２４０】
−アップリンク
図２４は、第２の実施形態の変形例の処理の概略的な流れの第２の例を説明するためのシーケンス図である。当該第２の例は、端末装置６００が基地局８００へアップリンクデータを送信する例である。
【０２４１】
ステップＳ７６１についての説明は、図２０の例におけるステップＳ７６１についての説明と同じである。よって、ここでは重複する説明を省略する。
【０２４２】
基地局８００は、端末装置６００のためのＤＣＩを端末装置６００へ送信する（Ｓ７６３）。端末装置６００は、当該ＤＣＩを受信する。さらに、端末装置６００は、端末装置６００に割り当てられた無線リソースにおいてアップリンクデータを送信する（Ｓ７６５）。基地局５００は、上記無線リソースにおいて上記アップリンクデータを受信する。
【０２４３】
このようなステップＳ７６３、Ｓ７６５についての説明は、動作主体の相違（即ち、基地局５００ではなく基地局８００がＤＣＩを送信し、アップリンクデータを受信するということ）を除き、図２０の例におけるステップＳ７２３、Ｓ７２５についての説明と同じである。よって、ここでは重複する説明を省略する。
【０２４４】
ステップＳ７６７、Ｓ７６９、及び、ステップＳ７７１、Ｓ７７３でも、ステップＳ７６３、Ｓ７６５と同様の動作が行われる。
【０２４５】
なお、ステップＳ７６３、Ｓ７６７、Ｓ７７１のＤＣＩの送信は、図２０の例と同様に、基地局８００ではなく基地局５００により行われてもよい。
【０２４６】
（５）その他
変形例では、例えば、上記ガードバンド情報は、基地局８００により生成（又は保存）され、基地局８００から基地局５００へ送信される。
【０２４７】
別の例として、上記ガードバンド情報は、基地局５００により生成（又は保存）され、基地局５００から基地局８００へ送信されてもよい。
【０２４８】
さらに別の例として、上記ガードバンド情報は、他のノード（例えばコアネットワークノード等）により保存（又は生成）され、基地局５００及び基地局８００へ送信されてもよい。
【０２４９】
＜＜４．第３の実施形態＞＞
続いて、図２５〜図２８を参照して、本発明の第３の実施形態を説明する。上述した第１の実施形態及び第２の実施形態は、具体的な実施形態であるが、第３の実施形態は、より一般化された実施形態である。
【０２５０】
＜４．１．システムの構成＞
図２５を参照して、第３の実施形態のシステム３の構成の例を説明する。図２５は、第３の実施形態のシステム３の概略的な構成の一例を示す説明図である。図３を参照すると、システム３は、基地局１１００及び端末装置１２００を含む。
【０２５１】
例えば、ここでのシステム３、基地局１１００及び端末装置６００についての説明は、符号の相違を除き、上述した＜２．１．システムの構成＞における第１の実施形態のシステム１、基地局１００及び端末装置２００についての説明と同じである。よって、ここでは重複する説明を省略する。
【０２５２】
＜４．２．基地局の構成＞
次に、図２６を参照して、第３の実施形態の基地局１１００の構成の例を説明する。図２６は、第３の実施形態の基地局１１００の概略的な構成の例を示すブロック図である。図２６を参照すると、基地局１１００は、情報取得部１１１０及び通信処理部１１２０を備える。
【０２５３】
情報取得部１１１０及び通信処理部１１２０の具体的な動作は、後に説明する。
【０２５４】
情報取得部１１１０及び通信処理部１１２０は、ベースバンド（ＢＢ）プロセッサ及び／又は他のプロセッサ等により実装されてもよい。情報取得部１１１０及び通信処理部１１２０は、同一のプロセッサにより実装されてもよく、別々に異なるプロセッサにより実装されてもよい。
【０２５５】
基地局１１００は、プログラムを記憶するメモリと、当該プログラムを実行可能な１つ以上のプロセッサとを含んでもよく、当該１つ以上のプロセッサは、情報取得部１１１０及び通信処理部１１２０の動作を行ってもよい。上記プログラムは、情報取得部１１１０及び通信処理部１１２０の動作を上記１つ以上のプロセッサに実行させるためのプログラムであってもよい。
【０２５６】
＜４．３．端末装置の構成＞
次に、図２７を参照して、第３の実施形態の端末装置１２００の構成の例を説明する。図２７は、第３の実施形態の端末装置１２００の概略的な構成の例を示すブロック図である。図２７を参照すると、端末装置１２００は、通信処理部１２１０を備える。
【０２５７】
通信処理部１２１０の具体的な動作は、後に説明する。
【０２５８】
通信処理部１２１０は、ベースバンド（ＢＢ）プロセッサ及び／又は他のプロセッサ等により実装されてもよい。
【０２５９】
端末装置１２００は、プログラムを記憶するメモリと、当該プログラムを実行可能な１つ以上のプロセッサとを含んでもよく、当該１つ以上のプロセッサは、通信処理部１２１０の動作を行ってもよい。上記プログラムは、通信処理部１２１０の動作を上記１つ以上のプロセッサに実行させるためのプログラムであってもよい。
【０２６０】
＜４．４．技術的特徴＞
基地局１１００（情報取得部１１１０）は、第１のサブキャリア間隔をもつ第１の帯域と第２のサブキャリア間隔をもつ第２の帯域とを含む周波数帯域内のガードバンドを示すガードバンド情報を取得する。そして、基地局１１００（通信処理部１１２０）は、上記ガードバンド情報を端末装置１２００へ送信する。
【０２６１】
端末装置１２００（通信処理部１２１０）は、上記ガードバンド情報を基地局１１００から受信する。そして、端末装置１２００（通信処理部１２１０）は、上記ガードバンド情報に基づいて上記周波数帯域における無線通信を行う。
【０２６２】
ここでの「サブキャリア」とは、信号を搬送可能な最小単位の周波数であり、一例として、ＯＦＤＭのサブキャリアである。「サブキャリア」は、単にキャリアと呼ばれてもよい。また、「サブキャリア間隔」とは、サブキャリアが配置される間隔である。また、「ガードバンド」とは、信号が送信されない周波数又は帯域であり、例えば１つ以上のサブキャリアを含む。
【０２６３】
（１）周波数帯域、ガードバンド情報、無線通信、及び、「送信」／「受信」／「無線通信」の意味
例えば、第３の実施形態における周波数帯域、ガードバンド情報、無線通信、及び、「送信」／「受信」／「無線通信」の意味についての説明は、第１の実施形態又は第２の実施形態におけるこれらについての説明と同じである。よって、ここでは重複する説明を省略し、処理の概略的な流れの例のみを説明する。
【０２６４】
（２）処理の流れ
図２８は、第３の実施形態の処理の概略的な流れの例を説明するためのシーケンス図である。
【０２６５】
基地局１１００は、第１のサブキャリア間隔をもつ第１の帯域と第２のサブキャリア間隔をもつ第２の帯域とを含む周波数帯域内のガードバンドを示すガードバンド情報を取得する。そして、基地局１１００は、上記ガードバンド情報を端末装置１２００へ送信し、端末装置１２００は、上記ガードバンド情報を受信する（Ｓ１３０１）。
【０２６６】
端末装置１２００は、上記ガードバンド情報に基づいて上記周波数帯域における無線通信を行う（Ｓ１３０３）。
【０２６７】
以上、本発明の実施形態を説明したが、本発明は上述した実施形態に限定されるものではない。上述した実施形態は例示にすぎないということ、及び、本発明のスコープ及び精神から逸脱することなく様々な変形が可能であるということは、当業者に理解されるであろう。
【０２６８】
例えば、本明細書に記載されている処理におけるステップは、必ずしもシーケンス図に記載された順序に沿って時系列に実行されなくてよい。例えば、処理におけるステップは、シーケンス図として記載した順序と異なる順序で実行されても、並列的に実行されてもよい。また、処理におけるステップの一部が削除されてもよく、さらなるステップが処理に追加されてもよい。
【０２６９】
また、本明細書において説明した基地局の構成要素（例えば、情報取得部及び／又は通信処理部）を備える装置又はそのモジュール（例えば、ベースバンドプロセッサ又は他のチップ）が提供されてもよい。同様に、本明細書において説明した端末装置の構成要素（例えば、通信処理部）を備えるモジュール（例えば、ベースバンドプロセッサ又は他のチップ）が提供されてもよい。また、上記構成要素の処理を含む方法が提供されてもよく、上記構成要素の処理をプロセッサに実行させるためのプログラムが提供されてもよい。また、当該プログラムを記録した記録媒体（コンピュータに読み取り可能な非一時的記録媒体）が提供されてもよい。当然ながら、このような装置、モジュール、方法、プログラム及び記録媒体も本発明に含まれる。
【０２７０】
上記実施形態の一部又は全部は、以下の付記のようにも記載され得るが、以下には限られない。
【０２７１】
（付記１）
第１のサブキャリア間隔をもつ第１の帯域と第２のサブキャリア間隔をもつ第２の帯域とを含む周波数帯域内のガードバンドを示すガードバンド情報を取得する情報取得部と、
前記ガードバンド情報を端末装置へ送信する通信処理部と、
を備える装置。
【０２７２】
（付記２）
前記ガードバンドは、無線リソースの割当ての単位であるリソースブロックよりも狭い、付記１に記載の装置。
【０２７３】
（付記３）
前記ガードバンドは、１つ以上のサブキャリアである、付記１又は２に記載の装置。
【０２７４】
（付記４）
前記情報取得部は、前記端末装置に割り当てられる無線リソースを通知する制御情報を取得し、
前記制御情報は、前記ガードバンド情報を含み、
前記通信処理部は、前記制御情報を前記端末装置へ送信する、
付記１〜３のいずれか１項に記載の装置。
【０２７５】
（付記５）
前記ガードバンドは、前記無線リソース内のガードバンドである、付記４に記載の装置。
【０２７６】
（付記６）
前記ガードバンドは、前記無線リソースの周波数端のガードバンドである、付記５に記載の装置。
【０２７７】
（付記７）
前記無線リソースが、前記無線リソースとは異なるサブキャリア間隔をもつ他の無線リソースと隣接する場合には、前記ガードバンドは、当該他の無線リソースに隣接する１つ以上のサブキャリアであり、前記無線リソースが、前記他の無線リソースと隣接しない場合には、前記ガードバンドは、存在しない、付記６に記載の装置。
【０２７８】
（付記８）
前記ガードバンド情報は、前記ガードバンドの有無を示す、付記５〜７のいずれか１項に記載の装置。
【０２７９】
（付記９）
前記ガードバンド情報は、前記無線リソースの第１の周波数端にガードバンドがあること、前記無線リソースの第２の周波数端にガードバンドがあること、前記無線リソースの両方の周波数端にガードバンドがあること、又は、前記無線リソースの両方の周波数端にガードバンドがないことを示す、付記８に記載の装置。
【０２８０】
（付記１０）
前記無線リソースのサブキャリア間隔は、前記端末装置用のサブキャリア間隔に基づいて決定される間隔である、付記４〜９のいずれか１項に記載の装置。
【０２８１】
（付記１１）
前記制御情報は、前記無線リソースのサブキャリア間隔を示すサブキャリア間隔情報を含む、付記４〜９のいずれか１項に記載の装置。
【０２８２】
（付記１２）
前記情報取得部は、制御プロトコルのメッセージを取得し、
前記メッセージは、前記ガードバンド情報を含み、
前記通信処理部は、前記メッセージを前記端末装置へ送信する、
付記１〜３のいずれか１項に記載の装置。
【０２８３】
（付記１３）
前記メッセージは、ＲＲＣ（Radio  Resource  Control）メッセージである、付記１２に記載の装置。
【０２８４】
（付記１４）
前記メッセージは、前記端末装置のためのシグナリングメッセージである、付記１２又は１３に記載の装置。
【０２８５】
（付記１５）
前記シグナリングメッセージは、前記周波数帯域についての前記端末装置の接続手続き内のメッセージである、付記１４に記載の装置。
【０２８６】
（付記１６）
前記メッセージは、システム情報である、付記１２又は１３に記載の装置。
【０２８７】
（付記１７）
前記システム情報は、マスター情報ブロックである、付記１６に記載の装置。
【０２８８】
（付記１８）
前記第１の帯域と前記第２の帯域とは、前記周波数帯域内で互いに隣接し、
前記ガードバンドは、前記第１の帯域と前記第２の帯域との境界付近の１つ以上のサブキャリアを含む、
付記１２〜１７のいずれか１項に記載の装置。
【０２８９】
（付記１９）
前記境界付近の前記１つ以上のサブキャリアは、前記第１の帯域内の、前記第２の帯域に隣接する１つ以上のサブキャリア、又は、前記第２の帯域内の、前記第１の帯域に隣接する１つ以上のサブキャリアを含む、
付記１８に記載の装置。
【０２９０】
（付記２０）
前記ガードバンド情報は、前記境界を示す境界情報を含む、付記１８又は１９のいずれか１項に記載の装置。
【０２９１】
（付記２１）
前記境界情報は、前記第１の帯域を示す第１帯域情報と、前記第２の帯域を示す第２帯域情報とを含む、付記２０に記載の装置。
【０２９２】
（付記２２）
前記ガードバンド情報は、前記ガードバンドの幅を示す幅情報を含む、付記１〜２１のいずれか１項に記載の装置。
【０２９３】
（付記２３）
前記通信処理部は、前記周波数帯域内の１つ以上のサブキャリアをガードバンドとして使用して、前記周波数帯域における無線通信を行う、付記１〜２２のいずれか１項に記載の装置。
【０２９４】
（付記２４）
前記第１の帯域と前記第２の帯域とは、前記周波数帯域内で互いに隣接し、
前記１つ以上のサブキャリアは、前記第１の帯域と前記第２の帯域との境界付近の１つ以上のサブキャリアを含む、
付記２３に記載の装置。
【０２９５】
（付記２５）
前記装置は、基地局、当該基地局を構成する複数の装置のうちの１つ以上の装置、又は当該複数の装置のうちの１つのためのモジュールであり、
前記周波数帯域は、他の基地局により使用される周波数帯域である、
付記１〜２２のいずれか１項に記載の装置。
【０２９６】
（付記２６）
前記装置は、基地局、基地局を構成する複数の装置のうちの１つ以上の装置、又は当該複数の装置のうちの１つのためのモジュールである、付記１〜２５のいずれか１項に記載の装置。
【０２９７】
（付記２７）
第１のサブキャリア間隔をもつ第１の帯域と第２のサブキャリア間隔をもつ第２の帯域とを含む周波数帯域内のガードバンドを示すガードバンド情報を基地局から受信する通信処理部、
を備え、
前記通信処理部は、前記ガードバンド情報に基づいて前記周波数帯域における無線通信を行う、
装置。
【０２９８】
（付記２８）
前記通信処理部は、前記ガードバンド情報に基づいて前記周波数帯域における受信を行い、
前記周波数帯域における前記受信は、前記ガードバンド情報に基づいて前記周波数帯域内のリソースエレメントからシンボルを抽出することを含む、
付記２７に記載の装置。
【０２９９】
（付記２９）
前記通信処理部は、前記ガードバンド情報に基づいて前記周波数帯域における送信を行い、
前記周波数帯域における前記送信は、前記ガードバンド情報に基づいて前記周波数帯域内のリソースエレメントにシンボルをマッピングすることを含む、
付記２７に記載の装置。
【０３００】
（付記３０）
第１のサブキャリア間隔をもつ第１の帯域と第２のサブキャリア間隔をもつ第２の帯域とを含む周波数帯域内の１つ以上のサブキャリアをガードバンドとして使用して、前記周波数帯域における無線通信を行う通信処理部、を備える装置。
【０３０１】
（付記３１）
前記第１の帯域と前記第２の帯域とは、前記周波数帯域内で互いに隣接し、
前記１つ以上のサブキャリアは、前記第１の帯域と前記第２の帯域との境界付近の１つ以上のサブキャリアを含む、
付記３０に記載の装置。
【０３０２】
（付記３２）
前記装置は、基地局、基地局を構成する複数の装置のうちの１つ以上の装置、若しくは当該複数の装置のうちの１つのためのモジュール、又は、端末装置、若しくは端末装置のためのモジュールである、付記３０又は３１に記載の装置。
【０３０３】
（付記３３）
第１のサブキャリア間隔をもつ第１の帯域と第２のサブキャリア間隔をもつ第２の帯域とを含む周波数帯域内のガードバンドを示すガードバンド情報を取得することと、
前記ガードバンド情報を端末装置へ送信することと、
を含む方法。
【０３０４】
（付記３４）
第１のサブキャリア間隔をもつ第１の帯域と第２のサブキャリア間隔をもつ第２の帯域とを含む周波数帯域内のガードバンドを示すガードバンド情報を基地局から受信することと、
前記ガードバンド情報に基づいて前記周波数帯域における無線通信を行うことと、
を含む方法。
【０３０５】
（付記３５）
第１のサブキャリア間隔をもつ第１の帯域と第２のサブキャリア間隔をもつ第２の帯域とを含む周波数帯域内の１つ以上のサブキャリアをガードバンドとして使用して、前記周波数帯域における無線通信を行うこと、を含む方法。
【０３０６】
（付記３６）
基地局と、
端末装置と、
を含み、
前記基地局は、第１のサブキャリア間隔をもつ第１の帯域と第２のサブキャリア間隔をもつ第２の帯域とを含む周波数帯域内のガードバンドを示すガードバンド情報を、前記端末装置へ送信し、
前記端末装置は、前記ガードバンド情報に基づいて前記周波数帯域における無線通信を行う、
システム。
【０３０７】
（付記３７）
第１のサブキャリア間隔をもつ第１の帯域と第２のサブキャリア間隔をもつ第２の帯域とを含む周波数帯域内のガードバンドを示すガードバンド情報を取得することと、
前記ガードバンド情報を端末装置へ送信することと、
をプロセッサに実行させるためのプログラム。
【０３０８】
（付記３８）
第１のサブキャリア間隔をもつ第１の帯域と第２のサブキャリア間隔をもつ第２の帯域とを含む周波数帯域内のガードバンドを示すガードバンド情報を基地局から受信することと、
前記ガードバンド情報に基づいて前記周波数帯域における無線通信を行うことと、
をプロセッサに実行させるためのプログラム。
【０３０９】
（付記３９）
第１のサブキャリア間隔をもつ第１の帯域と第２のサブキャリア間隔をもつ第２の帯域とを含む周波数帯域内の１つ以上のサブキャリアをガードバンドとして使用して、前記周波数帯域における無線通信を行うこと、をプロセッサに実行させるためのプログラム。
【０３１０】
（付記４０）
第１のサブキャリア間隔をもつ第１の帯域と第２のサブキャリア間隔をもつ第２の帯域とを含む周波数帯域内のガードバンドを示すガードバンド情報を取得することと、
前記ガードバンド情報を端末装置へ送信することと、
をプロセッサに実行させるためのプログラムを記録したコンピュータに読み取り可能な非一時的記録媒体。
【０３１１】
（付記４１）
第１のサブキャリア間隔をもつ第１の帯域と第２のサブキャリア間隔をもつ第２の帯域とを含む周波数帯域内のガードバンドを示すガードバンド情報を基地局から受信することと、
前記ガードバンド情報に基づいて前記周波数帯域における無線通信を行うことと、
をプロセッサに実行させるためのプログラムを記録したコンピュータに読み取り可能な非一時的記録媒体。
【０３１２】
（付記４２）
第１のサブキャリア間隔をもつ第１の帯域と第２のサブキャリア間隔をもつ第２の帯域とを含む周波数帯域内の１つ以上のサブキャリアをガードバンドとして使用して、前記周波数帯域における無線通信を行うこと、をプロセッサに実行させるためのプログラムを記録したコンピュータに読み取り可能な非一時的記録媒体。
【０３１３】
この出願は、２０１６年７月２９日に出願された日本出願特願２０１６−１４９７８６を基礎とする優先権を主張し、その開示の全てをここに取り込む。
【産業上の利用可能性】
【０３１４】
移動体通信システムにおいて、干渉を抑えつつ、異なる要求をもつ異なるサービスに応えることができる。
【符号の説明】
【０３１５】
１、２、３                                システム
１０、４０、５０、８０                    セル／カバレッジ
２０、６０                                周波数帯域
２１、２３、２５、２７、６１、６３        帯域
３１、３３、３５、３７、７１、７３        サブキャリア
１００、４００、５００、８００、１１００  基地局
１４１、５４１、１１１０                  情報取得部
１４３、４４１、５４３、８４１、１１２０  通信処理部
２００、６００、１２００                  端末装置
２３１、６３１、１２１０                  通信処理部
【図１】
2018021008.tif 000003
【図２】
2018021008.tif 000004
【図３】
2018021008.tif 000005
【図４】
2018021008.tif 000006
【図５】
2018021008.tif 000007
【図６】
2018021008.tif 000008
【図７】
2018021008.tif 000009
【図８】
2018021008.tif 000010
【図９】
2018021008.tif 000011
【図１０】
2018021008.tif 000012
【図１１】
2018021008.tif 000013
【図１２】
2018021008.tif 000014
【図１３】
2018021008.tif 000015
【図１４】
2018021008.tif 000016
【図１５】
2018021008.tif 000017
【図１６】
2018021008.tif 000018
【図１７】
2018021008.tif 000019
【図１８】
2018021008.tif 000020
【図１９】
2018021008.tif 000021
【図２０】
2018021008.tif 000022
【図２１】
2018021008.tif 000023
【図２２】
2018021008.tif 000024
【図２３】
2018021008.tif 000025
【図２４】
2018021008.tif 000026
【図２５】
2018021008.tif 000027
【図２６】
2018021008.tif 000028
【図２７】
2018021008.tif 000029
【図２８】
2018021008.tif 000030
【国際調査報告】
2018021008.tif 000031
2018021008.tif 000032